(57)【特許請求の範囲】
【請求項１】
撮影済みハロゲン化銀カラー写真撮影材料に
１）発色現像工程及び漂白工程を含み、定着工程を含まない現像処理を施し、
２）現像された画像から画像情報を光電的に読み取ってそれを電気的なデジタル情報に変換し、
３）電気的デジタル情報を画像処理して該カラ−写真撮影材料を基準現像処理条件で現像処理する場合に得られるべき画質特性へ修正することによって、
該カラ−写真撮影材料を基準現像処理した場合と同画質の画像情報を得ることを特徴とするカラー画像形成方法。
【請求項２】
画像情報の光電的な読み取りを反射光によって行うことを特徴とする請求項１記載のカラー画像形成方法。
【請求項３】
撮影済みハロゲン化銀カラー写真撮影材料のハロゲン化銀の塗布量が１．０〜４．０g/m2 (銀換算量) であることを特徴とする請求項１又は２に記載のカラー画像形成方法。
【請求項４】
漂白工程及び最終浴工程の補充量がともに３５ミリ２４枚撮り（１３５−２４フォーマット）フィルム１本に付き３０ミリリットル以下であることを特徴とする請求項１〜３のいずれかに記載のカラー画像形成方法。
【請求項５】
現像処理工程から排出される現像処理廃液の総量が３５ミリ２４枚撮り（１３５−２４フォーマット）フィルム１本に付き５０ミリリットル以下であることを特徴とする請求項１〜４のいずれかに記載のカラー画像形成方法。
【請求項６】
撮影済みハロゲン化銀カラー写真撮影材料に、（１）発色現像工程及び漂白工程を含み、定着工程を含まない現像処理を施し、（２）現像された画像から画像情報を光電的に読み取ってそれを電気的なデジタル情報に変換し、（３）該電気的デジタル情報を画像処理して該カラ−写真撮影材料を基準現像処理条件で現像処理する場合に得られるべき画質特性へ修正することによって、該カラ−写真撮影材料を基準現像処理した場合と同画質の画像情報を得ることからなる画像形成方法に使用する材料であって、ハロゲン化銀の塗布量が１．０〜４．０g/m2 (銀換算量) であることを特徴とするハロゲン化銀カラー写真撮影材料。
【発明の詳細な説明】
【０００１】
【発明の属する技術分野】
本発明は、一般カラーフィルムを現像処理してカラープリントなどのポジ画像を得る写真システムに関するもので、とくに撮影済みのハロゲン化銀カラー写真感光材料から短時間に高品質のカラープリントを得るためのカラー画像形成方法に関するものである。
特に撮影済み感光材料の現像処理工程を一部省略して迅速化を図り、その結果生じる写真特性の低下を画像処理によって補うという新しい技術思想による写真処理システムに関するものである。
【０００２】
【従来の技術】
現在カラー写真が作られる最も普通の形態は、撮影済みのハロゲン化銀カラー写真撮影材料（以後カラーフィルムと呼ぶ）を現像所で現像処理し、フィルム上に得られた画像を印画紙にプリントしてカラープリントを得るいわゆるネガ・ペーパーシステム（Ｎ／Ｐシステムと呼ぶ）である。写真店が撮影済みカラーフィルムを顧客から受け取ってからカラープリントを顧客に渡すまでの仕上げ時間は、大型現像所を利用する場合において１日（翌日仕上げ）であるが、写真店から現像所の間の配送時間のいらない店頭現像所が普及しつつある。この場合には仕上がり時間は、３０分〜１時間程度で済む。大型の現像所に対してこの種の店頭の現像所をミニラボと通称している。ミニラボでプリントを仕上げると、仕上がり時間の大幅な短縮となり、顧客に歓迎される。それでもなお、その仕上がりまでの所要時間は、撮影済みフィルムの現像焼き付けを依頼した顧客が店頭で仕上がりを待ってプリントを受け取って帰るにはほど遠い状態である。
【０００３】
顧客が店内にいる間にプリントを仕上げてしまう程までに仕上がり時間を短縮することは困難なことではあるが、強く望まれていることでもある。しかしながら、仕上がり時間の中でカラーネガフィルムの現像処理の所要時間は、切り詰めても１０〜１５分を要し、カラープリントを顧客に渡せるようになるまでの全作業時間の中で特に大きな部分を占めている。
そのため、カラーネガフィルムの現像処理時間の短縮が特に望まれている。ところで、カラーネガフィルムは、各写真感光材料メーカーから多種類の製品が発売されており、各現像所ではそのいずれも引き受けているが、現像機のコストや必要とする床面積などから、それら各種のカラーネガフィルムを１台の現像機により、同一の処理液と同一の処理工程で現像しているのが実情である。従ってネガフィルムの現像処理時間は、各種のネガフィルムのうちもっとも現像処理に要する時間が長い製品に合わせて決められている。
【０００４】
つまり、現像所では、各種カラーネガフィルムを同一現像機で同一写真処理液を用いて行う最も経済的な方法を選択しており、感光材料に応じた短時間処理を行うサービスは殆ど行われていないのが現状である。
特公平７−５２２８７では、撮影済みのカラーネガフィルムを現像処理する際に漂白工程を省略して工程を短縮し、それに伴って生じる色素画像の濃度と銀画像の濃度が重なってしまう欠点は、現像濃度値を読み取り、その値から色素画像の解析濃度を求める計算手法を用いて色像と銀像のそれぞれの濃度値を分離して求める方法が開示されている。しかし、開示された方法によってシアン、イエロー及びマゼンタの３色と中性銀の解析濃度を求めても、その結果得られるポジ画像の品質は、標準品質より劣る。つまり解析濃度以外の画像品質要因が介在することが推定される。そのため、この開示技術は、未だ実用されるに至っていない。
【０００５】
ミニラボを中心とする市中の現像所における別の課題は、現像処理に伴う廃液及び排水の環境対策である。下水などに排出される排水中に含まれる窒素化合物は、排水規制の対象となるので、これが含まれる排水は、多くの地域でその処理負担が増加する。また、使用済み処理液などの廃液を委託処理する際には、廃液の量が少ないほど廃液の委託処理コストが少なくて済む。したがって、現像所においては、廃液量の少ない現像処理方法が望まれ、また排水を排出する処理の場合は、ＣＯＤ成分のほか窒素成分も少ない排水が望まれている。この観点からは、凡用の現像処理は、節水型水洗（水洗代替安定液ともいわれる。以後まとめて低補充水洗と呼ぶ）の採用により水洗排水としての排出を止めて廃液に区分することで排水量の一層の減量が図られている。廃液も低補充化による減量が徹底して行われているが、排水、廃液ともに一層の減量は常に望まれていることである。
【０００６】
ミニラボを中心とする市中の現像所におけるさらにもう一つの解決を要する課題は、閑散期（オフシーズン）における現像品質の確保である。閑散期には、現像処理量が少ないために、フィルムや印画紙を現像機で処理するごとに加えられる補充液の量が少なく、したがって処理槽の中の処理液の入れ替わり（交換速度）が少なくなり、処理液の槽内滞留時間の延長に伴う劣化、例えば硫化物や銀化合物の沈殿など、が起こる。そのため閑散時期にも処理槽内の液が安定に保たれるような対策も強く望まれている。
【０００７】
【発明が解決しようとする課題】
本発明が解決しようとしている課題は、以上に述べたカラー現像所が抱える問題の解決を図ることであり、具体的には、本発明の第１の目的は写真品質を低下させることなく撮影済みカラー写真撮影材料を現像機の開始から、現像、プリント工程を経てポジ画像を得るまでの時間を短縮できて、しかも画像の品質が確保されるカラー画像形成方法を確立することである。
本発明の第２の目的は、現像処理に伴う写真処理廃液量を減量し、かつ窒素化合物の排出量を低減させた現像処理を組み込んだカラー画像形成方法の確立である。
本発明の第３の目的は、閑散期に伴う現像処理液の劣化、硫化あるいは含銀沈殿物を生じない安定な現像処理方法を組み込んだカラー画像形成方法の確立である。
【０００８】
【課題を解決するための手段】
本発明者たちは、上記の目的を達成するために、
（１）環境負荷の大きい処理工程の省略可能性、
（２）処理迅速化につながる現像処理工程の省略の可能性、及び
（３）上記の２項に伴う現像処理品質の低下の救済方法の検討の３つの観点から画像形成方法を鋭意検討の結果、現像処理工程の合理的な構築と現像された画像へ画像処理を施すことによって目的を達成できることを見いだして本発明に至った。
すなわち、本発明は次の通りである。
【０００９】
１．撮影済みハロゲン化銀カラー写真撮影材料を（１）発色現像工程及び漂白工程を含み、定着工程を含まない現像処理を施したのち、（２）現像された画像から画像情報を光電的に読み取るとともにそれを電気的なデジタル情報に変換し、（３）その電気的デジタル情報を画像処理して該カラ−写真撮影材料を基準現像処理条件で現像処理する場合に得られるべき画質特性へ修正することによって、そのカラ−写真撮影材料を基準現像処理した場合に得られるものと同画質の画像情報を得ることを特徴とするカラー画像形成方法。
２．現像された撮影済みハロゲン化銀カラー写真撮影材料から反射光によって画像情報を光電的に読み取ってそれを電気的なデジタル情報に変換することを特徴とする上記１記載のカラー画像形成方法。
３．撮影済みハロゲン化銀カラー写真撮影材料のハロゲン化銀の塗布量が１．０〜４．０g/m2 (銀換算量) であることを特徴とする上記１又は２に記載のカラー画像形成方法。
４．漂白工程及び最終浴工程の補充量がともに３５ミリ２４枚撮り（１３５−２４フォーマット）フィルム１本に付き３０ミリリットル以下であることを特徴とする上記１〜３のいずれかに記載のカラー画像形成方法。
５．現像処理工程から排出される現像処理廃液の総量が３５ミリ２４枚撮り（１３５−２４フォーマット）フィルム１本に付き５０ミリリットル以下であることを特徴とする上記１〜４のいずれかに記載のカラー画像形成方法。
６．撮影済みハロゲン化銀カラー写真撮影材料に、（１）発色現像工程及び漂白工程を含み、定着工程を含まない現像処理を施し、（２）現像された画像から画像情報を光電的に読み取ってそれを電気的なデジタル情報に変換し、（３）該電気的デジタル情報を画像処理して該カラ−写真撮影材料を基準現像処理条件で現像処理する場合に得られるべき画質特性へ修正することによって、該カラ−写真撮影材料を基準現像処理した場合と同画質の画像情報を得ることからなるカラー画像形成方法に使用する材料であって、ハロゲン化銀の塗布量が１．０〜４．０g/m2 (銀換算量) であることを特徴とするハロゲン化銀カラー写真撮影材料。
【００１０】
【発明の実施の形態】
以下に本発明の実施の形態について詳細に説明するが、その前に本発明で用いている用語について若干の説明を加えておく。
本発明において撮影済みカラー写真撮影材料（以後単にカラーフィルムと称する）の「種類」とは、写真材料を供給するメーカーと品種の両方に関して用いている。つまり、ある一つのメーカーが同一の製造処方によって製造して同一の商品名がついている場合、それらは同一の「種類」である。しかし、同一メーカーの製品でも感度表示や製品名が異なる場合は、別の「種類」である。
また、本発明の対象のカラー写真撮影材料は、カラーネガフィルム及びカラーリバーサルフィルムを含むが、なかでもカラーネガフィルムが主な対象である。なお、カラー拡散転写法（カラーインスタント写真）や熱現像型カラー拡散転写法もカラー撮影材料を含んだシステムではあるが、この種の撮影材料とポジ材料が同時に現像処理されるシステムは、本発明の範囲外である。
【００１１】
また、本発明において基準現像処理と呼んでいるのは、その現像所が標準現像として行っている現像処理を指す。この処理は、一般に世界的に殆どの現像所で汎用されている実質的に国際的共通の処理に準じている。この国際的共通処理は、具体的には、カラーネガフィルムの現像処理プロセスであるＣＮ１６系（富士写真フイルム（株）），Ｃ４１系（米国イーストマンコダック社）などと呼ばれている現像処理処方であって、これらは呼称は相違していても実質的には共通且つもっとも普通に行われている。しかし、この共通処理によって各現像所の処理が完全に一致しているかというと、各感光材料や現像薬品のメーカーの技術内容、地域による顧客の好みの相違などもあって、共通処理の枠内で多少の相違がある。したがって、本発明では、各現像所がその現像所の標準として行っている現像処理を基準現像処理と称するが、上記の関係によってこれは若干の許容度あるいは自由度の範囲内では世界的共通・標準処理でもあるという関係にある。
【００１２】
本発明において、基準現像処理及びそのもとになる世界的な標準処理は、いずれも現像、漂白、定着、水洗、画像安定化、乾燥の工程及び場合により若干のリンス工程からなる（カラーリバーサルフィルムの場合はさらに若干の工程が付加される）。本発明の後の説明のために、現像処理工程からの廃液と排水について触れておくと、発色現像、漂白、定着の各工程から使用済みの処理液すなわち廃液が、また、水洗工程からは、水洗排水が排出され、廃液、排水ともにその地域の環境規制にしたがって処置される。水洗工程は、前記のように低補充型水洗の形をとることがあり、その場合は排水せずに廃液として処置される。
【００１３】
また、本発明において現像処理という場合は、現像工程に始まり乾燥工程で完了する全処理を指し、現像あるいは漂白という場合は、それぞれ特にその内の「現像」工程あるいは「漂白」工程を指している。
【００１４】
さらに、以下の説明においては「現像処理」と「画像処理」という「処理」という共通の用語は付いても全く異なる２つの操作があるので、混乱を招くおそれのある場所では、それぞれ「現像処理」、「画像処理」と区別して表現する。
【００１５】
さて、以上を前置きとしてつぎの順序で本発明の具体的な説明に入る。
本発明では、撮影済みハロゲン化銀カラー写真撮影材料を（１）発色現像工程及び漂白工程を含み、定着工程を含まない現像処理を施したのち、（２）現像された画像から画像情報を光電的に読み取るとともにそれを電気的なデジタル情報に変換し、（３）それを画像処理してそのカラ−写真撮影材料を基準現像処理条件で現像処理する場合に得られるべき画質特性へ修正することによって、そのカラ−写真撮影材料を基準現像処理した場合と同画質の画像情報を得ることを特徴としている。
【００１６】
ここで、「画質特性」とは、画質を構成している要因となっている各特性のことで、階調、カラーバランス、最高濃度（Ｄｍａｘ），白地濃度（Ｄｍｉｎ），シャープネス、粒状性の諸特性から構成されている。したがって、上記において、「画質特性を修正して基準現像した場合に得られる画像と同画質の画像情報を得る」というのは、定着工程を省略して現像処理を行って得た画像情報の上記の画質要素の諸特性に修正を施して基準現像して得る画像情報が持っている画質と同じ画質にすることであり、「同画質」と判断されるのは、画質を構成している写真特性であってかつ濃度測定値に基づいて表される写真特性値を用いて表現したときに±１０％以内の濃度差で一致している場合である。
【００１７】
市販の各社からのカラーネガフィルムを受け入れる凡用の共通現像処理は、上記のように発色現像、漂白、定着、画像安定化浴及び若干のリンスと水洗工程からなっているが、本発明では定着工程を省略することによって迅速化を図ることを意図している。定着工程の省略によって一般的に１．５〜５分の工程時間短縮、たとえば、大型現像所が用いる第１世代のＣ４１処方では４分２０秒の短縮ができる。しかし、未定着フィルムには、ハロゲン化銀粒子のために不透明のヘイズがあってそのままではプリント不可能である。本発明では、その未定着フィルムを画像読み取り装置を用いて光電的にノイズ情報も含んだままの画像情報として取り出した後、画像処理によって画像情報成分を抽出し、この画像情報を画像処理して、基準現像処理を行った場合に得られる画質並の画像情報に変換する操作を行い、変換された画像情報をポジ画像媒体に出力することを発明の骨子としている。
【００１８】
漂白工程を省略しても画像読み取りは可能であることは、前記した先行技術によって開示されているが、本発明者の研究によると画像の読み取り精度は、漂白を行い、定着を省略する本発明の方法の方が優れている。現像銀のカバリングパワーつまり不透明度は、ハロゲン化銀のそれよりも高いことが判っているが、この相違が現像銀がハロゲン化銀に変換されずに残っている先行技術（米国特許第５１０１２８６号）よりも、漂白によってハロゲン化銀に変換されている本発明の漂白済み非定着型のフィルムの方が読み取り精度が優れている原因と思われる。また、本発明の方が高品質のポジ画像を得ているもう一つの原因は、先行技術では、高濃度側は色素濃度と銀濃度が重なるために画像濃度が一層高くなり、画像情報読み取り能力の限界から読み取り精度が低下するのに対して本発明では現像銀の重なりがない分だけ読み取り濃度の余裕があることによるものとも思われる。これらはいずれも実施結果を説明する理由であって証明された事実ではないが、本発明は、読み取り範囲の低濃度、高濃度の両方において明らかに従来開示されている技術よりも優れている。
【００１９】
現像されたカラーネガフィルムからの画像の読み取りは、必ずしも現像処理の完了後ではなく、現像及び漂白工程の終了後乾燥工程に入るまでの任意の時点で行うことも可能であり、それによってプリントなどのカラーポジ画像を得るまでの時間はさらに短縮される。その最も短い例としては、漂白工程終了の時点で画像を読み取ってもよい。その場合は、定着、水洗、画像安定化、乾燥の各工程時間を短縮できる。その短縮時間も現像所の条件によって異なるが、一般に合計で２〜１１分の程度であり、現像所によっては、カラーネガフィルムの現像処理工程時間は、カラープリント工程のそれとほぼ同程度まで短縮される。
【００２０】
なお、本発明者は、漂白工程において現像銀のハロゲン化銀への酸化は比較的速く行われるので、漂白工程時間の２分の１を経過した時点では、本発明の効果つまり不透明度の減少による読み取り精度の向上が認められてくる場合がある。本発明の範囲には、発明の効果が現れている限り、漂白工程の途中のこのような状態における画像読み取りも含まれる。
本発明においては、定着工程を省略して漂白工程を省略しないことによってさらなる利点が生じる。それは反射濃度による画像濃度の読み取り精度の向上である。漂白により現像銀は反射率の高いハロゲン化銀に変換されるので、画像読み取りを反射光によって行うと高い読み取り精度で画像情報が得られる。一般には、カラーネガフィルムからの画像読み取りは、透過光によって行われるが、本発明では反射光でも十分な読み取り精度が得られるのでどちらの方式を選んでもよい。透過光、反射光それぞれを用いた読み取り装置の詳細は、後に装置の具体例とともに説明する。また、反射光の画像情報の画像処理も、読み取り値を基準処理した場合の特性値に変換する際の変換係数値が異なる以外は、同じ操作で行われるので、後に透過光からの画像処理とまとめて説明する。
【００２１】
本発明に使用するカラーネガフィルムのハロゲン化銀乳剤塗布量を低減することによって二重の利点が得られる。一つはハロゲン化銀の節約による減量コストの低下であり、もう一つは塗布量の低減が現像処理済みフィルムの透過濃度を下げるラメに画像読み取り装置の読み取り範囲が広がり、読み取り精度が向上し、結果として出力されるポジ画像の画質が向上する。一方、ハロゲン化銀量の減量は、画像情報量の減少に直接結びつくことであるが、本発明では、画像処理機能が組み合わせられており、この機能が働くことによって、記録情報のコントラスト修正や輪郭強調、画像細部のコントラスト増幅などの画像強調作用や、彩度強調作用などによってかなりの補償がされる。これらについては、のちに装置の具体例とともに補足を行う。
画像読み取り方式を採用する結果として、本発明では、ハロゲン化銀の塗布量をカラーネガフィルム１ｍ2 当たり１．０〜４．０ｇ、好ましくは１．５〜４．０ｇ、さらに好ましくは２．０〜３．５ｇ（以上いずれも銀換算値で示した）とすることができる。別の尺度では、市販の通常なカラーフィルムは、ハロゲン化銀の塗布量が銀換算値で４〜８ｇ／ｍ2 であるが、それを２０〜７０％減らすことができる。
【００２２】
話を画像読み取り精度に戻すが、カラーネガフィルムのハロゲン化銀による漂白処理後の透過濃度は、カラーネガフィルムの種類にもよるが、ほぼ０．５〜１．５の間にあり、塗布量にほぼ比例する形で減少させることができる。したがって５０％の塗布量の節減によって不透明度は０．３〜０．７減少し、読み取り装置に入る光の量は２〜４倍増加する。
本発明においては、定着を行わないことによって定着液が不要なこと及び定着廃液が生じないことも大きな利点である。本発明にハロゲン化銀乳剤塗布量の少ないカラーネガフィルムを使用するとさらに廃液の減量が可能となる。標準的な共通の代表的なカラーネガフィルム現像処方では、漂白工程、低補充水洗及び画像安定化工程の補充量がそれぞれ３５ミリ２４枚撮りフィルム１本に付き５、１７、１５ミリリットルで合計３７ミリリットルであるが、本発明では、上記の銀量の節減により、合計２０ミリリットル以下、好ましくは１５ミリリットル以下として廃液の減量を行うことができる。
同様に、上記の代表的処理の現像処理工程の全体から生じる廃液量は、３５ミリ２４枚撮りフィルム１本に付き６０ミリリットルであるが、本発明では、合計５０ミリリットル以下、好ましくは３５ミリリットル以下として廃液の減量を可能である。
【００２３】
カラープリント画像を得たあとのフィルムは、保存不要のことも多い。その場合は、定着工程のみでなく、水洗工程や画像安定化工程でさらに徹底した排水及び廃液の減量ができる。例えば無排水型のミニラボ現像処理機に適用すると、酸化再生しても生じる漂白廃液と発色現像のキヤリーオーバー（次工程への持ち出し）を超える現像補充に見合う現像廃液量のみが廃液となり、廃液量の減少量は、普通の処理の廃液量の９０％を超える。
【００２４】
定着を行わないことのもう一つの意味はアンモニウム塩の排出がないことである。排水中の窒素分の規制は、世界的に行われているが、写真処理においいては定着液中のチオ硫酸アンモニウムがアンモニウムつまり窒素分の排出源であり、定着を行わないことによって窒素化合物の排出量の８０〜８５％を減量することができ、多くの現像所では排出窒素量をその地域の規制値以下にすることができる。
【００２５】
また、定着液のＣＯＤ値は発色現像液のＣＯＤ値より高く、したがって本発明は、ＣＯＤ値の低減効果も大きい。
【００２６】
定着工程省略する本発明の更なる利点は、閑散期（オフシーズン）における、また、特に小規模現像所における現像品質の確保である。前にも述べたように、閑散期には、現像処理量が少ないために、フィルムや印画紙を処理するごとに現像槽に加えられる補充液の量が少なく、したがって処理槽の中の処理液の入れ替わり（交換速度）が少なくなり、処理液の槽内滞留時間の延長に伴い、硫黄化合物や溶存銀塩の分解が起こって硫化物や銀化合物の沈殿が水洗槽や画像安定化槽で起こり、それがローラーや現像中のフィルムに付着して重大な品質故障を誘発する。本発明に関わる現像処理では、定着工程を省略するために硫化物や銀塩沈殿から開放される。
【００２７】
以上で、本発明の基本的な技術思想、構成要件の骨子と好ましい態様、さらにそれらに伴う利点について説明した。以下には、具体的な例を材料にしてさらに本発明の説明をつぎの順序にしたがって行うこととする。
１．発明の画像形成方法の基本的な工程の全体的な流れ
２．現像の前工程
３．現像処理工程
４．画像再生工程
４．１  現像したフィルムからの画像情報読み取り
４．２  読み取り画像情報の画像処理
４．３  画像処理した画像情報のプリンターへの出力
５．プリンター出力工程
６．本発明の補足的説明
【００２８】
１．基本的な工程の全体的な流れ
本発明の基本技術は、撮影済みハロゲン化銀カラー写真撮影材料（以後カラーフィルムと呼ぶ）に定着工程を省いた簡略現像処理を施したのち、そのフィルムに記録され、現像された画像情報を読み取り、その情報を電気的なデジタル情報に変換し、そのデジタル情報を画像処理して該カラ−撮影材料を基準現像処理条件で現像処理する場合に得られる筈の画質特性に修正し、その画像情報をプリンターに出力することによって、基準現像処理を行った場合と同画質のポジ画像を得ることを特長とする画像形成方法である。
【００２９】
図１に典型的な本発明の方法による現像所の作業工程の全体の流れを示した。撮影済みのカラーフィルムは、現像処理工程に入る最初の段階で、フィルムの「種類」の判別工程（０１）がある。この段階は、本発明に必須ではないが、ここでは、各フィルムのＤＸコードと呼ばれている識別用の穿孔記号によって種類を知ることができる。この「種類」情報によって後に述べる画像処理の条件設定を選択し、また場合によっては、基準処理（０３）を行うか、本発明の定着工程省略処理（０３Ａ）を行うかの選択も行う（０２）。基準処理か、定着工程省略処理かの選択は、ＤＸコードが何であるかに関わらずオペレーターの操作により既定の基準にしたがって選択されることもある（０４）。本発明は、定着工程省略処理についてなされたものでるが、場合によっては基準処理を行う必要もあり得るので、このＤＸコード判別工程が意味を持つ。また、上記とは別に定着工程省略処理のみを行う専用現像機であってもよいことは言うまでもない。
【００３０】
現像条件の選択の後にフィルムは現像機内の一連の処理槽を通るように搬送される。カラーネガの基準現像処理工程は、発色現像、漂白、定着、水洗、画像安定化及び乾燥工程とその間に多少の水洗或いはリンス工程からなるが、本発明ではその工程の中から定着工程を省略する。発色現像工程は写真品質に対して大きな影響を及ぼすが、定着工程では、必要とする色素画像はすでに形成されており、色素画像の邪魔になる銀画像は除去されているいるので、写真品質への影響は比較的小さく、したがって後に述べる画像処理への負荷は少なくしかも現像処理時間の短縮の効果は大きいことが本発明で特に定着工程の省略の着想に至った背景である。発色現像、漂白、水洗又は安定化からなる現像処理がなされたフィルムは、次に画像情報読み取り工程１に移る。
【００３１】
この工程で現像済みフィルムの画像を構成する微小面積ユニット（以後画素と呼ぶ）ごとの透過濃度が測定されて画像情報が画素ごとの濃度として読み取られる。読み取りの結果、画像情報は濃度値による電気的画像信号に変換されており、増幅装置１７を経てＡ／Ｄ（アナログ／デジタル）変換部１８でデジタル信号に変換される。この情報信号は、画素ごとの感度バラツキや暗電流の補正などのＣＣＤ機能の補正１９がされたのちログ変換器２０をへて画像処理装置５に送られる。
【００３２】
画像処理装置では、デジタル信号に変換された画像情報に対して電気的処理が加えられて基準現像処理がなされた場合に得られる筈のデジタル画像信号に変換される。フィルムに対して基準現像が行われた場合は、この画像処理は単に撮影条件、現像処理あるいはフィルムの特性などのバラツキを補正して統計的な中心値に修正するという意味であって、それなりに重要なことではあるが、本発明の対象ではない。前述のように、定着工程省略処理を選択した場合の現像済みフィルムは、ハロゲン化銀が残存しており、階調、カラーバランスあるいはＤｍｉｎ（未露光部の濃度値）の基準現像時の値からの偏りがある。本発明においては後述するようにこの偏りの補正が画像処理によって行われる。以上の画像処理操作は、特願平８−１７４０２２号及び特願平８−１８２５５１号で出願中の方法と演算装置によって行うことができる。以下の説明もこの２例を材料にして進めるが、本発明の画像形成方法は、これらに記載された装置を使用することに限定されない。
【００３３】
基準現像時の正常な写真特性値に変換された定着工程省略処理を行ったフィルムの画像信号は、プリンター８へ出力され、その結果正常なポジ画像が得られる。プリンターは電気的画像信号や光電的画像信号を入力するプリンターならいずれでもよいが、特に好ましいプリンターは、カラープリント、インスタント写真、色素熱転写型などの銀塩カラープリント、インクジェット、昇華型感熱転写、ワックス型熱転写、カラー電子写真などの各ポジ画像用のプリンターである。
以上で定着工程省略処理した写真特性が正常でないフィルムの写真画像から基準処理によって得られる正常なポジ画像を得る本発明の装置と方法の概要を述べたので、以下にさらに詳細の説明を行う。
【００３４】
本発明において定着工程を省略した処理（つまり非基準処理）を行っても基準処理を行ったときと同質の画像情報または同質のポジ画像を得られるとはほぼ同程度の写真特性値が得られることを意味しており、代表的には画像濃度で判断できる。その場合には、濃度値が基準値の±１０％以内であることを意味する。また、より直接的には、偏りのない観察者（多数の観察者の観察結果の平均によって近似される）によって判定される。
【００３５】
２．現像の前工程
図１の本発明の現像処理装置とその中の操作の流れを示したブロックダイアグラムにおいて、フィルムはダイグラムの左端から現像処理装置に取り込まれるが、まず、フィルムの種類が読み取られる。この読み取りは、フィルムにＤＸコードと呼ばれている識別用の穿孔記号に記されている写真フィルムの種類を知るためで、この「種類」情報によって後に述べる画像処理の条件設定に修正を加えることもできる。つまり、前に述べたように画像処理工程では現像処理したフィルムの画像情報を読み取ってその読み取り情報を画像処理するのであるが、ＤＸコードによって知られたフィルムの種類によっては画像処理の前か後に設定された処理条件にさらに修正を施しておいた方が結果的によい仕上がり品質になる場合がある。そのような場合にはフィルムの種類による補正が設定された画像処理条件に付加することもできる。また場合によっては、基準処理を行うか、定着工程省略処理を行うかの選択も行う。このような補正はＩＳＯ感度が１８００のフィルムのように現像進行が遅い場合や塗布銀量が多くそのため漂白工程の省略が定着不足を招く場合など基準現像処理との写真特性の差が特に大きくなるときには効果が大きい。基準処理か、定着工程省略処理かの選択は、オペレーターの操作によってＤＸコードが何であるかに関わらず選択されることもある。
また、勿論、定着工程省略処理のみが行える専用機もある。
【００３６】
３．現像処理工程
現像条件の選択の後にフィルムは現像機へ搬送される。現像機は、ローラー搬送方式のものが前後の工程とのつながりがよく好ましいが、それに限定されるものではない。基準処理を行う必要性が起こりうることなどから基準現像処理用の現像機を使用してその定着工程を省略するのが現実的である。つまり、フィルムには、発色現像、漂白、水洗、画像安定化からなる現像処理がなされ、次に画像情報読み取り工程に移る。または、前記したように現像処理工程の途中で画像読み取りを行ってもよい。あるいは、前記したようにカラーフィルムを保存する必要がない場合は、水洗、画像安定化浴も省略することができて環境負荷を大幅に軽減できる。
現像処理は、後に示す本発明に適用できる現像処理の項に記された素材や工程のいずれをも適用できるが、最も汎用されていて国際的共通処理ともいえるＣＮ１６系，Ｃ４１系，ＣＮＫ４系の現像処理が望ましい。本発明においては、その現像処理の工程から定着工程が省略される。
【００３７】
４．画像再生工程
図２は、本発明による画像再生システムの基本的構成を示すブロックダイアグラムである。図２に示されるように、画像再生システムは、現像処理済みフィルムからカラー画像を読み取り、ディジタル化された画像データを生成する画像読取装置１、画像読取装置１により生成された画像データに所定の画像処理を施す画像処理装置５、および画像処理装置５により画像処理が施された画像データに基づいて、カラー画像を再生する画像出力装置８を備えている。
【００３８】
４．１  現像済みフィルムからの画像情報読み取り
画像読み取りは、主に次の３通りの方法で行うことができる。
（ｉ）回転ドラムにフィルムを巻き付けて色分解フィルターと組み合わせた測定光を照射しながら、ドラムを回転させると同時にドラム方向に副走査を行って各画素の反射濃度を光電子増倍管で光電変換して時系列的な電気信号として読み取って、かつ増幅する方式、
（ii) 受光素子を１次元に並べたラインＣＣＤを使用して現像済みフィルム上の画像を副走査しながら透過又は反射濃度をラインＣＣＤに受けてそれを電気的走査によって時系列的な電気信号に変換して行くラインＣＣＤ−走査方式及び，
(iii) エリアＣＣＤを使用して２次元のまま画素の濃度を読み取ってエリアＣＣＤからの電気的走査によって時系列的に並べ替えた電気信号に変換して行くエリアＣＣＤ方式のいずれを採用してもよい。
とくに好ましいのはエリアＣＣＤ方式であり、以後の説明はこの方式を前提に説明して行くが、他の２方式でも本発明は支障なく実施できる。
【００３９】
この図２の画像再生システムの外観は図３に示されるが、図３では理解を容易にするために、現像機とは独立した従来型のタイプのものを示してある。図３の画像再生システムにおいては、画像読取装置１として、現像されたカラー画像を光電的に読み取る透過型画像読取装置１０と、カラー画像を光電的に読み取る反射型画像読取装置３０を、選択的に、画像処理装置５に接続する構成となっており、これにより、フィルムに記録されたカラー画像およびカラープリントに記録されたカラー画像のいずれをも、再生することができるようになっているが、本発明に関わる画像読取装置は、オプションとしてこの装置の形式を備えていてもよいが、画像読み取り機の少なくも一つは、図１２に示すように現像機に組み込まれて発色現像工程の終了後乾燥工程に入るまでの間に現像されたフィルムから画像情報の読み取りを可能にしている。図１２において、画像読み取り装置１０は、漂白工程と定着工程の間に設けられているが、目的によって別の箇所に移動させることができる。
【００４０】
図４は、カラー画像に基づき、画像データを生成するカラー画像再生システム用の透過型画像読取装置１０の概略図である。図４に示されるように、透過型画像読取装置１０は、フィルムＦに記録されたカラー画像に、光を照射して、フィルムを透過した光を検出することにより、カラー画像を光電的に読取り可能に構成されており、光源１１、光源１１から発せられた光の光量を調整可能な光量調整ユニット１２、光源１１から発せられた光を、Ｒ（赤）、Ｇ（緑）およびＢ（青）の三色に分解するための、色分解ユニット１３、光源１１から発せられた光がフィルムＦに一様に照射されるように、光を拡散させる拡散ユニット１４、フィルムＦを透過した光を光電的に検出するＣＣＤエリアセンサ１５およびフィルムＦを透過した光をＣＣＤエリアセンサ１５に結像させる電動ズームレンズ１６を備えている。この透過型画像読取装置１０は、図示しないフィルムキャリアを交換することにより、１３５ネガフィルム、１３５ポジフィルム、アドバンストフォトシステム（ＡＰＳ）フィルムなど多種のフィルムを読み取ることができる。
【００４１】
光源１１としてはハロゲンランプを用い、光量調整ユニット１２は、２枚の絞り板の移動により、移動距離に対して指数的に光量が変化するようになっている。色分解ユニット１３はＲ、Ｇ、Ｂ３枚のフィルターを有する円盤を回転させることにより、面順次に３色に色分解する。また、ＣＣＤエリアセンサ１５は、たて９２０画素、横１３８０画素の受光素子を有しており、高分解能でフィルム上の画像情報を読みとることができる。ＣＣＤエリアセンサ１５は、カラー画像の読取りに際して、光電的に読み取った画像の奇数行の画像データからなる奇数フィールドの画像データと、偶数行の画像データからなる偶数フィールドの画像データとを、順次、転送するように構成されている。
【００４２】
透過型画像読取装置１０は、さらに、ＣＣＤエリアセンサ１５により光電的に検出され、生成されたＲ、Ｇ、Ｂの画像信号を増幅する増幅器１７、画像信号をディジタル化するＡ／Ｄ変換器１８、Ａ／Ｄ変換器１８によりディジタル化された画像信号に対して、画素毎の感度のバラツキや暗電流の補正処理を施すＣＣＤ補正手段１９およびＲ、Ｇ、Ｂの画像データを濃度データに変換するログ変換器２０を備えている。ログ変換器２０は、インターフェイス２１に接続されている。
【００４３】
フィルムＦは、キャリア２２により保持され、キャリア２２に保持されたフィルムＦは、モータ２３により駆動される駆動ローラ２４によって、所定の位置に送られて、停止状態にプレス保持され、１コマのカラー画像の読取りが完了すると、１コマ分、送られるように構成されている。ネガフィルムを扱うためのオートキャリアとしてはＮＣ１３５Ｓ（富士写真フイルム(製)）等の従来のミニラボで使用されているものを用いる。フルサイズ、パノラマサイズ、迫力サイズ等、プリント形態に対応した範囲の画像を読みとることができる。またトリミングキャリアとして従来のミニラボで使用されているものを用いると、センターを軸に、約１．４倍の拡大が可能となる。
【００４４】
また画面検出センサ２５は、フィルムＦに記録されたカラー画像の濃度分布を検出し、検出した濃度信号を透過型画像読取装置１０を制御するＣＰＵ２６に出力するものであり、この濃度信号に基づき、ＣＰＵ２６は、フィルムＦに記録されたカラー画像の画面位置を算出し、カラー画像の画面位置が所定の位置に達したと判定すると、モータ２３の駆動を停止させるように構成されている。
画像読み取り装置は、現像機の乾燥部の入り口または出口、独立の読み取り／画像処理装置あるいはプリンター部に付属させるなどいずれの場所でもよい。
【００４５】
一方、本発明の有利な態様である反射濃度で読み取る場合を図１１に示す。反射型画像読み取り装置３０は、漂白処理によって反射率の高いハロゲン化銀と光吸収の大きい色素画像からコントラストの高い反射光画像を検知して光電的に読み取り可能に構成されており、光源３１、光源から発せられてフィルム表面で反射した光を反射するミラー３２、反射光のＲ，Ｇ，Ｂ感度を調節するカラーバランスフィルタ３３、光量調節ユニット３４、反射光を光電的に検知するＣＣＤラインセンサー３５、及び反射光をライセンサー上に結像させるレンズ３６からなる。
【００４６】
ＣＣＤラインセンサー３５は、Ｒ，Ｇ，Ｂの３色に対応した３ラインセンサーによって構成されており、光源３１、及びミラー３２を矢印方向に移動させながらＣＣＤラインセンサー３５によって反射光を検知して画像情報を２次元的に読み取る。
【００４７】
反射型画像読み取り装置３０は、さらに検知されたＲ，Ｇ，Ｂの画像信号を増幅する増幅器３７、画像信号をデジタル化するＡ／Ｄ変換器３８、デジタル化された画像信号に対して画素ごとの感度のバラツキや暗電流の補正を行うＣＣＤ補正手段３９、及びＲ，Ｇ，Ｂの画像データ濃度データに変換するログ変換器４０を備えている。ログ変換器は、インターフェイス４１に接続されている。この反射型画像読み取り装置は、ＣＰＵ４６により制御されている。
【００４８】
４．２  読み取り画像情報の画像処理
以上、図２および図３に示される画像読取装置１について詳細に説明したが、次に同じく図２および図３に示される画像処理装置５について説明する。
【００４９】
図５および図６は、画像処理装置５の構成を示すブロックダイアグラムを２つの図に分けて示したものである。これらの図に示されるように、画像処理装置５は、透過型画像読取装置１０のインターフェイス２１あるいは反射型画像読取装置３０のインターフェイス４１と接続可能なインターフェイス４８と、画像読取装置１により生成され、ライン毎に送られて来る画像データの隣接する２つの画素データの値を加算して、平均し、１つの画素データとする加算平均演算手段４９と、加算平均演算手段４９から送られてきた画像データの各ラインの中の画素データを、交互に記憶する第１のラインバッファ５０ａおよび第２のラインバッファ５０ｂと、ラインバッファ５０ａ、５０ｂに記憶されたラインデータが転送され、フィルムＦ（図３）に記録された１コマのカラー画像あるいは１枚のカラープリントＰ（図４）に記録されたカラー画像に対応する画像データを記憶する第１のフレームメモリユニット５１、第２のフレームメモリユニット５２および第３のフレームメモリユニッ卜５３を備えている。ここに第１のラインバッファ５０ａおよび第２のラインバッファ５０ｂは、画像データの各ラインの奇数番目の画素データを一方のラインバッファに、偶数番目の画素データを他方のラインバッファに交互に記憶するように構成されている。
【００５０】
本実施の形態においては、まず、フィルムＦに記録された１コマのカラー画像に対し、画像読取装置１による第１の読取り（以下、先読みという）、および読み取られた画像のディジタル画像データへの変換が行われる。この際、この先読みによって得られた画像データに基づいて、画像処理装置５により、次に行う第２の読取り（以下、本読みという）のための画像読取条件が設定される。そして、その設定された読取条件に基づいて、再度上記カラー画像に対する読取り、すなわち本読みが実行され、これにより、再生のための画像処理を施すディジタル画像データが生成される。画像処理装置５は、このような処理を行うために、先読みにより得られた画像データを第１のフレームメモリユニット５１に記憶し、本読みによって得られた画像データを第２のフレームメモリユニット５２および第３のフレームメモリユニット５３に、それぞれ記憶するように構成されている。
【００５１】
ここで図５および図６に示される他の構成要素を説明する前に、これらのフレームメモリユニットについて詳しく説明する。図７は、第１のフレームメモリユニット５１、第２のフレームメモリユニット５２および第３のフレームメモリユニッ卜５３の詳細を示すブロックダイアグラムである。図７に示されるように、画像処理装置５は、カラー画像を読み取って生成された画像データを処理するため、第１のフレームメモリユニット５１、第２のフレームメモリユニット５２および第３のフレームメモリユニット５３は、それぞれ、Ｒ（赤）、Ｇ（緑）、Ｂ（青）に対応する画像データを記憶するＲデータメモリ５１Ｒ、Ｇデータメモリ５１ＧおよびＢデータメモリ５１Ｂ、Ｒデータメモリ５２Ｒ、Ｇデータメモリ５２ＧおよびＢデータメモリ５２ＢならびにＲデータメモリ５３Ｒ、Ｇデータメモリ５３ＧおよびＢデータメモリ５３Ｂを備えている。なお、上述のように、第１のフレームメモリユニット５１には、先読みによって得られた画像データが記憶され、第２および第３のフレームメモリユニット５２には本読み記憶された画像データが記憶されるが、図７は、入力バス６３から第１のフレームメモリユニット５１に先読みによって得られた画像データが入力され、第２のフレームメモリユニット５２に記憶された画像データが出力バス６４に出力されている状態が示されている。
【００５２】
再び図５および図６に基づいて画像処理装置５の構成について説明する。画像処理装置５は、画像処理装置５全体を制御するＣＰＵ６０を備えている。ＣＰＵ６０は、透過型画像読取装置１０を制御するＣＰＵ２６（図４）と通信線（図示されない）を介して、通信可能で、かつ、後述する画像出力装置８を制御するＣＰＵと通信線（図示されない）を介して、通信可能に構成されている。この構成により、ＣＰＵ６０は、第１のフレームメモリユニット５１に記憶された先読みにより得られた画像データに基づいてカラー画像の本読みを行うための画像読取条件を変更したり、さらに必要に応じて読取り後の画像に施される画像処理の画像処理条件を変更したりすることができる。
【００５３】
すなわち、ＣＰＵ６０は、先読みによって得られた画像データに基づき、本読みの際、ＣＣＤエリアセンサ１５あるいはＣＣＤラインセンサ３５のダイナミックレンジを効率良く利用可能なように、本読みのための画像読取条件を決定して、読取制御信号を、透過型画像読取装置１０のＣＰＵ２６あるいは反射型画像読取装置３０のＣＰＵ４６に出力する。この際、透過型画像読取装置１０のＣＰＵ２６あるいは反射型画像読取装置３０のＣＰＵ４６は、この読取制御信号が入力されると、光量調整ユニット１２あるいは光量調整ユニット３４により調整される光量およびＣＣＤエリアセンサ１５あるいはＣＣＤラインセンサ３５の蓄積時間を制御する。同時に、ＣＰＵ６０は、得られた画像データに基づいて、最適な濃度、階調および色調を有するカラー画像をカラーぺーパー上に再生可能なように、後述する第１の画像処理手段および第２の画像処理手段による画像処理のパラメータなどの画像処理条件を変更する制御信号を、必要に応じて、第１の画像処理手段および第２の画像処理手段に出力する。この際、ＣＰＵ６０により決定された画像読取条件あるいは画像処理条件はメモリ６６に記憶される。
【００５４】
ＣＰＵ６０が上記制御を行うにあたり、オペレータの指示により画像読取条件あるいは画像処理条件が保持されている場合は、ＣＰＵ６０は上記のような先読みされた画像データに基づいた条件の決定は行わず、保持された条件に基づいて、各種制御信号を出力する。キーボード６９等の入力装置によりオペレータは各種条件を設定し、さらにこれらの保持を指示した場合、これらの条件はメモリ６６に記憶され、その後オペレータがこれらの条件の保持の解除を指示した場合、そのメモリ６６に記憶されている条件は無効となる。したがって、ＣＰＵ６０は上述のような制御を行うにあたり、まずメモリ６６に記憶されている条件を参照し、その条件が記憶されている場合にはそれに従い、記憶されていない場合には先読みされた画像データに基づいてこれらの条件を決定する。したがって、オペレーターは、ＤＸコードから読み取ったり、顧客の特別な注文にしたがって各フィルムの種類に応じて条件設定の指示を行うこともできるし、また予めフィルムの種類ごとに条件を設定して自動的に指示にしたがった処理が出来るようにしておくこともできる。なお、このような条件の保持は、必ずしも画像読取条件、あるいは画像処理条件といった大きな単位で行われる必要はなく、メモリ６６に上記条件を記憶する際の記憶あるいはそれらの参照等をより詳細な条件毎に行えるようにすることにより、例えば彩度の設定は保持し、シャープネスは自動的に決定された条件を用いるというようなことができるようにしてもよい。
【００５５】
以上、図５に示される範囲の画像処理装置５の構成について説明したが、ここで画像読取装置１において生成された画像データがインターフェイス４８を通して画像処理装置５に入力されて、第１から第３のフレームメモリユニットに記憶されるまでの間に、この画像データに対して施される処理について、詳細に説明する。
【００５６】
次に、上述したように、本読みが行われた結果第２のフレームメモリユニット５２および第３のフレームメモリユニット５３に記憶された画像データに対して画像処理を施すための画像処理装置５の構成について説明する。
【００５７】
画像処理装置５は、第２のフレームメモリユニット５２および第３のフレームメモリユニット５３に記憶された画像データに、所望の濃度、階調および色調で、カラーぺーパー上にカラー画像が再生可能なように、ルックアップテーブルやマトリックス演算により、階調補正、色変換、濃度変換などの画像処理を施す第１の画像処理手段６１（図６）ならびに第１のフレームメモリユニット５１に記憶された画像データに、所望のような画質で、後述するＣＲＴの画面にカラー画像が再生可能なように、ルックアップテーブルやマトリックス演算により、階調補正、色変換、濃度変換などの画像処理を施す第２の画像処理手段６２（図６）を備えている。第２のフレームメモリユニット５２および第３のフレームメモリユニット５３の出力は、セレクタ５５に接続され、セレクタ５５により、第２のフレームメモリユニット５２および第２のフレームメモリユニット５３のいずれかに記憶された画像データが選択的に第１の画像処理手段６１に入力されるように構成されている。
【００５８】
図８は、この第１の画像処理手段６１の詳細を示すブロックダイアグラムである。図８に示されるように、第１の画像処理手段６１は、画像データの濃度データ、色データおよび階調データを変換する色濃度階調変換手段１００、画像データの彩度データを変換する彩度変換手段１０１、画像データの画素データ数を変換するディジタル倍率変換手段１０２、画像データに周波数処理を施す周波数処理手段１０３および画像データのダイナミック・レンジを変換するダイナミック・レンジ変換手段１０４を備えている。これらの各変換手段は、通常パイプライン処理と呼ばれるように、各処理手段が同時に動作し、動作終了後、次の処理が施されるように構成されているため、高速処理が可能となっている。
【００５９】
図８に示す画像処理手段により、階調補正、色変換、濃度変換等の処理ができるだけでなく、さらには特開平２−０２２４６０号に示すような、フィルムの粒状を抑制しつつ、同時にシャープネスを向上させる処理をも施すことができる。またさらには特開平９−０１８７０４号に示すような、明暗のコントラストの大きい画像に対し、良好な画像再生をもたらす、自動覆い焼き処理をも施すことができる。
定着工程を省略した本発明の現像処理を行ったフィルムは、（ｉ）色素画像とハロゲン化銀が重なっていることなどによる階調のずれ、（ii）Ｄmin （最低濃度値）の増加による読み取り可能範囲の減少と彩度低下と、（iii)Ｄmax （最高濃度値）の増加による高露光領域の読み取り精度の低下があり、さらに以上の３要因の程度がフィルムの種類によって異なっている。したがって、このＣＰＵ６０には、上記の３つの写真特性要因に関してデジタル化した読み取り画像情報から基準処理したときの画質への補正する変換処理条件設定が行われている。以上から判るように、定着省略処理に対して特に設定するべき画質修正の画像処理条件の項目は以下の通りである。
【００６０】
１）基準現像処理の階調からずれた階調の補正処理、
２）カラーバランスデータを基準処理条件で処理した場合のカラーバランス値に変換する処理、
３）定着工程省略現像処理によって生じた露光量対濃度関係の非直線性を補正して該撮影材料を基準処理条件で処理した場合の露光量対濃度関係へ補正する処理（とくに高濃度部と低濃度部）、及び
４）基準現像処理よりも大幅に高くなっているＤmin （いわゆる下駄）の影響の補正処理がある。
【００６１】
この４特性要因の画像処理による補正は、大きく２通りの方法で補正される。一つは、読み取った画像の濃度値情報をそのまま上に説明した画像処理操作を行って画像再生処理するであり、もう一つは、読み取った画像情報を解析濃度に変換する演算処理を行ったのち得られた解析濃度情報について上記の画像再生の処理を行う方法である。解析濃度に変換して行う方が画像の把握はより正確と考えられるが、本発明では、前者の方法で十分なことが判ったので、以下には、解析濃度を用いないで画像読み取り濃度情報を直接画像処理装置に入力する方法を述べる。
【００６２】
この一連の画像再生のための画像処理で特に（ｉ）に挙げた軟調化した階調の基準現像した時の階調への修正が画像再生の最も重要な画像処理である。すなわち、階調変換手段１００では入力された濃度値対露光量の傾きを基準現像処理で得られる適正な値へ修正する機能を持っている。同時に（ii）に述べたカラーバランスの修正の大きな部分はこの硬調化の各色ごとの調整で行うが、さらに次の述べる各画像処理機能の複合により、微調節される。（iii)に述べた高濃度部分の一層の軟調と低濃度部分の足伸びは、彩度変換手段１０１の彩度強調化のレベルを高く設定し、ダイナミックレンジ変換手段１０４と階調変換手段１００及び次に述べる空間周波数による濃度増幅度の変更の組み合わせで脚部と高濃度部の特性曲線の形を修正することによって行う。この場合には、彩度の基準値への修正処理も同時にされるように条件設定されることはいうまでもない。
残留銀などによるＤmin の増加は画像処理過程ではいわゆる下駄履きの部分でバックグラウンドレベルに含まれて消去されてしまうので、読み取り領域が極端に高くない限り出力画像特性への影響は現れない。
なお、上記の画像処理に用いられる画像処理装置のデバイスの作動内容は、特願平８−１７４０２２および特願平８−１８２５５１号として出願中である。
【００６３】
解析濃度への変換（特願平９−１３５１５４号で出願中）を行ってから画像情報処理を行う場合、図５のＣＰＵ６０には、演算回路が加わる。本発明では、現像処理したフィルムから読み取った青、緑、赤フィルター光濃度値からイエロ−、マゼンタ、シアンの各色素の解析濃度を演算によって求めるが、ここでは以上にとどめる。
【００６４】
以上述べた現像処理済みフィルムの画像情報の画像処理による画質の修正の精度は、前記したように画質特性のそれぞれを濃度値で表したとき、基準現像した画像の画質特性値値の１０％以内であればよく、望ましくは、８％以内がよい。定着省略処理で損なわれる画質特性は、主にカラーバランス、階調特性、粒状性であり、これらが濃度値として上記の範囲であれば画像再生ができたと判断される。
基準現像処理したときの特性値への変換は、フィルムの種類ごとに変換条件を設定しておいて、処理されるフィルムの種類を読み込んでおくことによって自動的に条件を選んでもよいし、また、オペレーターが処理されるフィルムごとに変換処理条件を指定してもよい。
【００６５】
このようにして定着工程省略の現像処理を行ったフィルムから読み取った画像情報を画像処理によって基準現像処理を行ったときの特性値に変換した情報は、一旦ストアされたのち、ポジ画像へのプリンターへ出力する段階に進むことになる。
【００６６】
この他、画像処理装置５には、第１のフレームメモリユニット５１、第２のフレームメモリユニット５２および第３のフレームメモリユニット５３の入力バス６３および出力バス６４とは別に、データバス６５が設けられており、データバス６５には、カラー画像再生システム全体を制御するＣＰＵ６０、ＣＰＵ６０の動作プログラムあるいは画像処理条件に関するデータなどを格納したメモリ６６、画像データを記憶して、保存可能なハードディスク６７、ＣＲＴ６８、キーボード６９、他のカラー画像再生システムと通信回線を介して接続される通信ポート７０、透過型画像読取装置１０のＣＰＵ２６との通信線などが接続されている。
【００６７】
４．３  画像処理した画像信号のプリンターへの出力                        以上、図２および図３に示される画像処理装置５の構成について詳細に述べた。次に同じく図２および３に示される画像出力装置８について説明する。図９は、本発明の好ましい実施の形態にかかる画像処理装置により処理された画像データに基づき、カラーぺーパー上に、カラー画像を再生するカラー画像再生システム用の画像出力装置８の概略図である。
【００６８】
図９において、画像出力装置８は、画像処理装置５のインターフェイス７７と接続可能なインターフェイス７８と、画像出力装置８を制御するＣＰＵ７９と、画像処理装置５から入力された画像データを記憶する複数のフレームメモリからなる画像データメモリ８０と、画像データをアナログ信号に変換するＤ／Ａ変換器８１と、レーザ光照射手段８２と、レーザ光の強度を変調させる変調信号を出力する変調器駆動手段８３を備えている。ＣＰＵ７９は、画像処理装置５のＣＰＵ６０と通信線（図示されない）を介して、通信可能に構成されている。
【００６９】
図１０は、図９に示されるレーザ光照射手段８２の概略図であり、レーザ光照射手段８２は、半導体レーザ光源８４ａ、８４ｂ、８４ｃを備え、半導体レーザ光源８４ｂにより発せられたレーザ光は、波長変換手段８５により、波長５３２nmの緑色レーザ光に変換され、半導体レーザ光源８４ｃにより発せられたレーザ光は、波長変換手段８６によって、波長４７３nmの青色レーザ光に変換される。
【００７０】
半導体レーザ光源８４ａから発せられた６７０nmから６９０nmの間の任意の波長の赤色レーザ光、波長変換手段８５によって、波長が変換された緑色レーザ光および波長変換手段８６によって、波長が変換された青色レーザ光は、それぞれ、音響光学変調器（ＡＯＭ）などの光変調器８７Ｒ、８７Ｇ、８７Ｂに入射するように構成されており、光変調器８７Ｒ、８７Ｇ、８７Ｂには、それぞれ、変調器駆動手段８３から変調信号が入力され、変調信号に応じて、レーザ光の強度が変調されるように構成されている。この際、半導体レーザ光源８４ａは、高速動作可能であれば、これを直接変調することにより、光変調器８７Ｒは省略可能である。
【００７１】
光変調器８７Ｒ、８７Ｇ、８７Ｂによって、強度が変調されたレーザ光は、反射ミラー８８Ｒ、８８Ｇ、８８Ｂにより反射されて、ポリゴンミラー８９に入射する。ここでペーパーは毎秒約７５mmの速度で搬送され、走査線密度は１インチあたり６００本で、各画素は１００nsec毎に変調される。
【００７２】
画像出力装置８は、カラーペーパー９０をロール状に収納したマガジン９１を備え、紙幅のカラーぺーパー９０は、所定の搬送経路に沿って副走査方向に毎秒約１１０mmの速度で搬送されるように構成されている。カラーぺーパーとしては幅８９mmから２１０mmまでのものが使用可能であり、通常のミニラボ等で用いられるカラーぺーパーであってもよいし、レーザー露光特有の高照度短時間露光に適した、専用カラーぺーパーを用いても良い。マガジン９１としては、通常のミニラボで使用されているもの、たとえば特開平６−１６１６５０号に記載されるものを用いる。カラーぺーパー９０の搬送経路には、カラープリント１枚分の長さに相当する間隔毎に、カラーぺーパー９０の側縁部に、基準孔を穿つ穿孔手段９２が設けられており、画像出力装置８内においては、この基準孔にしたがって、カラーぺーパー９０の搬送と他の手段の駆動との同期が図られている。搬送手段としては、特開平４−１４７２５９号に示すものを用いる。処理タンクとしては、特開平４−１５５３３３号に示すものを用いる。
【００７３】
光変調器８７Ｒ、８７Ｇ、８７Ｂにより変調されたレーザ光は、ポリゴンミラー８９によって、主走査方向に走査され、ｆθレンズ９３を介して、カラーぺーパー９０を露光する。ここに、カラーペーパー９０は、副走査方向に搬送されているため、その全面が、レーザ光によって露光される。ここに、副走査方向のカラーペーパー９０の搬送速度は、レーザ光の主走査速度、すなわち、ポリゴンミラー８９の回転速度と同期するように、ＣＰＵ７９によって制御されている。
【００７４】
レーザ光によって露光されたカラーペーパー９０は、毎秒約２９mmの速度で現像処理部９４に送られて、所定の発色現像処理、漂白定着処理、および水洗処理がなされ、画像処理装置５により画像処理された画像データに基づいて、カラーぺーパー９０上にカラー画像が再生される。発色現像槽９４、漂白定着槽９５および水洗槽９６によって、発色現像処理、漂白定着処理および水洗処理がなされたカラーぺーパー９０は、乾燥部９７に送られ、乾燥された後、カラーペーパー９０の側縁部に穿孔された基準孔に基づいて、カラーペーパー９０の搬送と同期して駆動されたカッタ９８により、１コマのフィルムＦのあるいは１枚のカラーペーパーＰに記録されたカラー画像に対応する長さに切断され、ソータ９９に送られて、１本のフィルムＦに対応する枚数あるいは顧客毎に、集積されるように構成されている。ソータとしては、特開平４−１９９０５２号に示すものを用いる。
【００７５】
ここに、発色現像槽９４、漂白定着槽９５、水洗槽９６、乾燥部９７、カッター９８およびソータ９９としては、通常のミニラボ用自動現像機に使用されているものを利用することができる。本実施の形態ではカラーペーパー処理処方ＣＰ４７Ｌ（富士写真フイルム（株）の処方）が採用されるが、ＣＰ４０ＦＡ、ＣＰ４３ＦＡ（いずれも富士写真フイルム（株）の一般用処方）に対しても、対応可能である。
【００７６】
５．出力用ポジ画像材料
本発明の方法で得られた基準処理と同等の画像特性値は、ポジ用材料に出力されてポジ画像の形で得られる。
ポジ画像を得るための出力用材料は、すでに述べたように、インクジェット、昇華型貫熱転写、カラー拡散転写、熱現像型銀塩カラー拡散転写、熱現像型多層カラージアゾ、銀塩カラーペーパーなど画像信号が時系列化した電気または光信号であればいずれにも入力できる。
その中ではとりわけカラーペーパーが好ましい。感光材料中の感光性ハロゲン化銀乳剤はいずれも塩化銀含有率が少なくとも９５モル％で残りが臭化銀であり、実質的に沃化銀を含まないハロゲン化銀粒子からなることが好ましい。ここで「実質的に沃化銀を含まない」とは、沃化銀含有率が１モル％以下、好ましくは０．２モル％以下、更に好ましくは０モル％を意味する。また上記のハロゲン化銀乳剤は迅速処理性の観点から、特に塩化銀含有率が９８モル％以上のハロゲン化銀乳剤が好ましい。このようなハロゲン化銀のなかでも塩化銀粒子の表面に臭化銀局在相を有するものが、高感度が得られ、しかも写真性能の安定化が図れることから特に好ましい。
【００７７】
少なくとも一層の感光性ハロゲン化銀乳剤層に含有されるハロゲン化銀乳剤は、粒子サイズ分布の変動係数（粒子サイズ分布の標準偏差を平均粒子サイズで除したもの）が１５％以下であるものが好ましく、１０％以下の単分散乳剤がより好ましい。また広いラチチュードを得る目的で上記の単分散乳剤を２種以上同一層中に混合して使用するのが好ましい。このとき、各々の単分散乳剤はその平均粒子サイズが１５％以上異なるのが好ましく、２０〜６０％異なるのがより好ましく、更には２５〜５０％異なるのが特に好ましい。また各々の単分散乳剤の感度差は０．１５〜０．５０logＥであることが好ましく、０．２０〜０．４０logＥであることがより好ましく、０．２５〜０．３５logＥであることが更に好ましい。
【００７８】
本発明の目的のポジ画像を得るには、実質的に沃化銀を含有しない塩化銀含有率９５モル％以上の塩臭化銀に鉄および／またはルテニウムおよび／またはオスミウム化合物をハロゲン化銀１モル当たり１×１０-5〜１×１０-3モル含有させ、かつ臭化銀局在相中にハロゲン化銀１モル当たり１×１０-7〜１×１０-5モルのイリジウム化合物を含有するハロゲン化銀乳剤を用いることが有効である。
本発明に用いられる出力用ハロゲン化銀写真感光材料には、従来公和の写真用素材や添加剤を使用できる。
例えば写真用支持体としては、透過型支持体や反射型支持体を用いることができる。透過型支持体としては、セルロースナイトレートフィルムやポリエチレンテレフタレートなどの透明フィルム、更には２，６−ナフタレンジカルボン酸（ＮＤＣＡ）とエチレングリコール（ＥＧ）とのポリエステルやＮＤＣＡとテレフタル酸とＥＧとのポリエステル等に磁性層などの情報記録層を設けたものが好ましく用いられる。本発明の目的にとっては、反射型支持体が好ましく、特に複数のポリエチレン層やポリエステル層でラミネートされ、このような耐水性樹脂層（ラミネート層）の少なくとも一層に酸化チタン等の白色顔料を含有する反射支持体が好ましい。
【００７９】
更に前記の耐水性樹脂層中には蛍光増白剤を含有するのが好ましい。また、蛍光増白剤は感材の親水性コロイド層中に分散してもよい。蛍光増白剤として、好ましくは、ベンゾオキサゾール系、クマリン系、ピラゾリン系が用いる事ができ、更に好ましくは、ベンゾオキサゾリルナフタレン系及びベンゾオキサゾリルスチルベン系の蛍光増白剤である。使用量は、特に限定されないが、好ましくは１〜１００mg/m2である。耐水性樹脂に混合する場合の混合比は、好ましくは樹脂に対して０．０００５〜３重量％であり、更に好ましくは０．００１〜０．５重量％である。
体上に、白色顔料を含有する親水性コロイド層を塗設したものでもよい。
また、反射型支持体は、鏡面反射性または第２種拡散反射性の金属表面をもつ支持体であってもよい。
前記の反射型支持体やハロゲン化銀乳剤、更にはハロゲン化銀粒子中にドープされる異種金属イオン種、ハロゲン化銀乳剤の保存安定剤またはカブリ防止剤、化学増感法（増感剤）、分光増感法（分光増感剤）、シアン、マゼンタ、イエローカプラーおよびその乳化分散法、色像保存性改良剤（ステイン防止剤や褪色防止剤）、染料（着色層）、ゼラチン種、感材の層構成や感材の被膜ｐＨなどについては、表１〜２の特許に記載のものが本発明に好ましく適用できる。
【００８０】
【表１】
0003729375.tif 000002
【００８１】
【表２】
0003729375.tif 000003
【００８２】
出力用感光材料（カラーペーパー）に用いうるシアン、マゼンタおよびイエローカプラーとしては、その他、特開昭６２−２１５２７２号の第９１頁右上欄４行目〜１２１頁左上欄６行目、特開平２−３３１４４号の第３頁右上欄１４行目〜１８頁左上欄末行目と第３０頁右上欄６行目〜３５頁右下欄１１行目、やＥＰ０３５５，６６０Ａ２号の第４頁１５行目〜２７行目、５頁３０行目〜２８頁末行目、４５頁２９行目〜３１行目、４７頁２３行目〜６３頁５０行目に記載のカプラーも有用である。
出力用カラー感光材料に用いうる防菌・防黴剤としては特開昭６３−２７１２４７号に記載のものが有用である。
本発明の画像再生システムをコンパクトで、安価なものにするために半導体レーザーあるいは固体レーザーと非線形光学結晶を組合わせた第二高調波発生光源（ＳＨＧ）を使用することが好ましい。特にコンパクトで、安価、更に寿命が長く安定性が高い装置を設計するためには半導体レーザーの使用が好ましく、露光光源の少なくとも一つは半導体レーザーを使用することが好ましい。
【００８３】
このような走査露光光源を使用する場合、出力用カラー感光材料の分光感度極大波長は使用する走査露光用光源の波長により任意に設定することができる。半導体レーザーを励起光源に用いた固体レーザーあるいは半導体レーザーと非線形光学結晶を組合わせて得られるＳＨＧ光源では、レーザーの発振波長を半分にできるので、青色光、緑色光が得られる。従って、感光材料の分光感度極大は通常の青、緑、赤の３つの波長領域に持たせることが可能である。
このような走査露光における露光時間は、画素密度を４００dpiとした場合の画素サイズを露光する時間として定義すると、好ましい露光時間としては１０-4秒以下、更に好ましくは１０-6秒以下である。
本発明に適用できる好ましい走査露光方式については、前記の表に掲示した特許に詳しく記載されている。
また出力用カラー感光材料を処理するには、特開平２−２０７２５０号の第２６頁右下欄１行目〜３４頁右上欄９行目、及び特開平４−９７３５５号の第５頁左上欄１７行目〜１８頁右下欄２０行目に記載の処理素材や処理方法が好ましく適用できる。また、この現像液に使用する保恒剤としては、前記の表に掲示した特許に記載の化合物が好ましく用いられる。
【００８４】
６．本発明の補足的説明
６．１  現像処理について
【００８５】
本発明において、現像処理に用いる発色現像液は、好ましくは芳香族第一級アミン系発色現像主薬を主成分とするアルカリ性水溶夜である。この発色現像主薬としては、アミノフェノール系化合物も有用であるが、ｐ−フェニレンジアミン系化合物が好ましく使用され、その代表例としては３−メチル−４−アミノ−Ｎ，Ｎ−ジエチルアニリン、３−メチル−４−アミノ−Ｎ−エチル−Ｎ−β−ヒドロキシエチルアニリン、３−メチル−４−アミノ−Ｎ−エチル−Ｎ−β−メタンスルホンアミドエチルアニリン、３−メチル−４−アミノ−Ｎ−エチル−β−メトキシエチルアニリン、４−アミノ−３−メチル−Ｎ−メチル−Ｎ−（３−ヒドロキシプロピル）アニリン、４−アミノ−３−メチル−Ｎ−エチル−Ｎ−（３−ヒドロキシプロピル）アニリン、４−アミノ−３−メチル−Ｎ−エチル−Ｎ−（２−ヒドロキシプロピル）アニリン、４−アミノ−３−エチル−Ｎ−エチル−Ｎ−（３−ヒドロキシプロピル）アニリン、４−アミノ−３−メチル−Ｎ−プロピル−Ｎ−（３−ヒドロキシプロピル）アニリン、４−アミノ−３−プロピル−Ｎ−メチル−Ｎ−（３−ヒドロキシプロピル）アニリン、４−アミノ−３−メチル−Ｎ−メチル−Ｎ−（４−ヒドロキシブチル）アニリン、４−アミノ−３−メチル−Ｎ−エチル−Ｎ−（４−ヒドロキシブチル）アニリン、４−アミノ−３−メチル−Ｎ−プロピル−Ｎ−（４−ヒドロキシブチル）アニリン、４−アミノ−３−エチル−Ｎ−エチル−Ｎ−（３−ヒドロキシ−２−メチルプロピル）アニリン、４−アミノ−３−メチル−Ｎ，Ｎ−ビス（４−ヒドロキシブチル）アニリン、４−アミノ−３−メチル−Ｎ，Ｎ−ビス（５−ヒドロキシペンチル）アニリン、４−アミノ−３−メチル−Ｎ−（５−ヒドロキシペンチル）−Ｎ−（４−ヒドロキシブチル）アニリン、４−アミノ−３−メトキシ−Ｎ−エチル−Ｎ−（４−ヒドロキシブチル）アニリン、４−アミノ−３−エトキシ−Ｎ，Ｎ−ビス（５−ヒドロキシペンチル）アニリン、４−アミノ−３−プロピル−Ｎ−（４−ヒドロキシブチル）アニリン、及びこれらの硫酸塩、塩酸塩もしくはｐ−トルエンスルホン酸塩などが挙げられる。これらの中で、特に、３−メチル４−アミノ−Ｎ−エチル−Ｎ−β−ヒドロキシエチルアニリン、４−アミノ−３−メチル−Ｎ−エチル−Ｎ−（３−ヒドロキシプロピル）アニリン、４−アミノ−３−メチル−Ｎ−エチル−Ｎ−（４−ヒドロキシブチル）アニリン、３−メチル−４−アミノ−Ｎ−エチル−Ｎ−β−メタンスルホンアミドエチルアニリン及びこれらの塩酸塩、ｐ−トルエンスルホン酸塩もしくは硫酸塩が好ましい。これらの化合物は目的に応じ２種以上併用することもできる。
【００８６】
芳香族第一級アミン現像主薬の使用量はカラー現像液１リットル当たり好ましくは０．０００２モル〜０．２モル、さらに好ましくは０．００１モル〜０．１モルである。
【００８７】
発色現像液は、アルカリ金属の炭酸塩、ホウ酸塩もしくはリン酸塩５−スルフォサリチル酸塩のようなｐＨ緩衝剤、塩化物塩、臭化物塩、沃化物塩、ベンズイミダゾール類、ベンゾチアゾール類もしくはメルカプト化合物のような現像抑制剤またはカブリ防止剤などを含むのが一般的である。また必要に応じて、ヒドロキシルアミン、ジエチルヒドロキシルアミンの他特開平３−１４４４４６号の一般式（Ｉ）で表されるヒドロキシルアミン類、亜硫酸塩、Ｎ，Ｎ−ビスカルボキシメチルヒドラジンの如きヒドラジン類、フェニルセミカルバジド類、トリエタノールアミン、カテコールスルホン酸類の如き各種保恒剤、エチレングリコール、ジエチレングリコールのような有機溶剤、ベンジルアルコール、ポリエチレングリコール、四級アンモニウム塩、アミン類のような現像促進剤、色素形成カプラー、競争カプラー、１−フェニル−３−ピラゾリドンのような補助現像主薬、粘性付与剤、アミノポリカルボン酸、アミノポリホスホン酸、アルキルホスホン酸、ホスホノカルボン酸に代表されるような各種キレート剤、例えば、エチレンジアミン四酢酸、ニトリロ三酢酸、ジエチレントリアミン五酢酸、シクロヘキサンジアミン四酢酸、ヒドロキシエチルイミノジ酢酸、１−ヒドロキシエチリデン−１，１−ジホスホン酸、ニトリロ−Ｎ，Ｎ，Ｎ−トリメチレンホスホン酸、エチレンジアミン−Ｎ，Ｎ，Ｎ，Ｎ−テトラメチレンホスホン酸、エチレンジアミン−ジ（ｏ−ヒドロキシフェニル酢酸）及びそれらの塩を代表例として挙げることができる。
【００８８】
上記の内、保恒剤としては置換ヒドロキシルアミンが最も好ましく、中でもジエチルヒドロキシルアミン、モノメチルヒドロキシルアミン或いはスルホ基やカルボキシ基、水酸基などの水溶性基で置換されたアルキル基を置換基として有するものが好ましい。最も好ましい例としては、Ｎ，Ｎ−ビス（２−スルホエチル）ヒドロキシルアミン及びそのアルカリ金属塩である。
【００８９】
また、キレート剤としては生分解性を有する化合物が好ましい。この例としては、特開昭６３−１４６９９８号、特開昭６３−１９９２９５号、特開昭６３−２６７７５０号、特開昭６３−２６７７５１号、特開平２−２２９１４６号、特開平３−１８６８４１号、独国特許３７３９６１０、欧州特許４６８３２５号等に記載のキレート剤を挙げることができる。発色現像液の補充タンクや処理槽中の処理液は高沸点有機溶剤などの液剤でシールドし、空気との接触面積を減少させることが好ましい。この液体シールド剤としては流動パラフィンが最も好ましい。また、補充液に用いるのが特に好ましい。本発明における発色現像液での処理温度は２０〜５５℃、好ましくは３０〜５５℃である。処理時間は撮影用感材においては２０秒〜５分、好ましくは３０秒〜３分２０秒である。更に好ましくは４０秒〜１分３０秒である。
【００９０】
処理槽での写真処理液と空気との接触面積は、以下に定義する開口率で表わすことができる。即ち、
開口率＝〔処理液と空気との接触面積（cm2）〕÷〔処理液の容量（cm3）〕
上記の開口率は、０．１以下であることが好ましく、より好ましくは０．００１〜０．０５である。このように開口率を低減させる方法としては、処理槽の写真処理液面に浮き蓋等の遮蔽物を設けるほかに、特開平１−８２０３３号に記載された可動蓋を用いる方法、特開昭６３−２１６０５０号に記載されたスリット現像処理方法を挙げることができる。開口率を低減させることは、発色現像及び黒白現像（カラーリバーサル処理など）の両工程のみならず、後続の諸工程、例えば、漂白、水洗、安定化（以上は基準処理も含めて述べた）、などの全ての工程において適用することが好ましい。また、現像液中の臭化物イオンや塩化物イオンの蓄積を抑える手段を用いることにより補充量を低減することもできる。
【００９１】
本発明の処理装置において、フィルムの保存を行う必要がなく後続処理を行わない場合を別にすれば、脱銀処理後、水洗、画像安定化工程を経るのが一般的である。水洗工程での水洗水量は、感光材料の特性（例えばカプラー等使用素材による）、用途、更には水洗水温、水洗タンクの数（段数）、向流、順流等の補充方式、その他種々の条件によって広範囲に設定し得る。このうち、多段向流方式における水洗タンク数と水量の関係は、Journal of the Society of Motion Picture and Television Engineers第６４巻、Ｐ．２４８〜２５３（１９５５年５月号）に記載の方法で、求めることができる。前記文献に記載の多段向流方式によれば水洗水量を大幅に減少し得るが、タンク内における水の滞留時間の増加により、バクテリアが繁殖し、生成した浮遊物が感光材料に付着する等の問題が生じる。本発明のカラー感光材料の処理において、このような問題が解決策として、特開昭６２−２８８，８３８号に記載のカルシウムイオン、マグネシウムイオンを低減させる方法を極めて有効に用いることができる。また、特開昭５７−８，５４２号に記載のイソチアゾロン化合物やサイアベンダゾール類、塩素化イソシアヌール酸ナトリウム等の塩素系殺菌剤、その他ベンゾトリアゾール等、堀口博著「防菌防黴剤の化学」（１９８６年）三共出版、衛生技術会編「微生物の滅菌、殺菌、防黴技術」（１９８２年）工業技術会、日本防菌防黴学会編「防菌防黴剤事典」（１９８６年）に記載の殺菌剤を用いることもできる。
【００９２】
本発明の対象となる感光材料の処理における水洗水のｐＨは、４〜９であり、好ましくは５〜８である。水洗水温、水洗時間も、感光材料の特性、用途等で種々設定し得るが、一般には、１５〜４５℃で２０秒〜１０分、好ましくは２５〜４０℃で３０秒〜５分の範囲が選択される。更に、本発明の感光材料は、上記水洗に代り、直接安定化液によって処理することもできる。このような安定化処理においては、特開昭５７−８５４３号、同５８−１４８３４号、同６０−２２０３４５号に記載の公知の方法はすべて用いることができる。
【００９３】
また、画像安定化液には色素画像を安定化させる化合物、例えばホルマリン、ｍ−ヒドロキシベンズアルデヒド等のベンズアルデヒド類、ホルムアルデヒド重亜硫酸付加物、へキサメチレンテトラミン及びその誘導体、ヘキサヒドロトリアジン及びその誘導体、ジメチロール尿素、Ｎ−メチロールピラゾールなどのＮ−メチロール化合物、有機酸やｐＨ緩衝剤等が含まれる。これらの化合物の好ましい添加量は安定液１リットルあたり０．００１〜０．０２モルであるが、安定液中の遊離ホルムアルデヒド濃度は低い方がホルムアルデヒドガスの飛散が少なくなるため好ましい。このような点から色素画像安定化剤としては、ｍ−ヒドロキシベンズアルデヒド、ヘキサメチレンテトラミン、Ｎ−メチロールピラゾールなどの特開平４−２７０３４４号記載のＮ−メチロールアゾール類、Ｎ，Ｎ’−ビス（１，２，４−トリアゾール−１−イルメチル）ピペラジン等の特開平４−３１３７５３号記載のアゾリルメチルアミン類が好ましい。特に特開平４−３５９２４９号（対応、欧州特許公開第５１９１９０Ａ２号）に記載の１，２，４−トリアゾールの如きアゾール類と、１，４−ビス（ｌ，２，４−トリアゾール−１−イルメチル）ピペラジンの如きアゾリルメチルアミン及びその誘導体の併用が、画像安定性が高く、且つホルムアルデヒド蒸気圧が少なく好ましい。また、その他必要に応じて塩化アンモニウムや亜硫酸アンモニウム等のアンモニウム化合物、Ｂｉ、Ａｌなどの金属化合物、蛍光増白剤、硬膜剤、米国特許４，７８６，５８３号に記載のアルカノールアミンや、前記の定着液や漂白定着液に含有することができる保恒剤、例えば、特開平１−２３１０５１号公報に記載のスルフィン酸化合物を含有させることも好ましい。
【００９４】
水洗水及び／又は水洗代替安定化浴、及び画像安定化液には処理後の感光材料の乾燥時の水滴ムラを防止するため、種々の界面活性剤を含有することができる。中でもノニオン性界面活性剤を用いるのが好ましく、特にアルキルフェノールエチレンオキサイド付加物が好ましい。アルキルフェノールとしては特にオクチル、ノニル、ドデシル、ジノニルフェノールが好ましく、またエチレンオキサイドの付加モル数としては特に８〜１４が好ましい。さらに消泡効果の高いシリコン系界面活性剤を用いることも好ましい。
【００９５】
水洗水及び／又は安定化液、及び画像安定化液には、各種キレート剤を含有させることが好ましい。好ましいキレート剤としては、エチレンジアミン四酢酸、ジエチレントリアミン五酢酸などのアミノポリカルボン酸や１−ヒドロキシエチリデン−１，１−ジホスホン酸、Ｎ，Ｎ，Ｎ’−トリメチレンホスホン酸、ジエチレントリアミン−Ｎ，Ｎ，Ｎ’，Ｎ’−テトラメチレンホスホン酸などの有機ホスホン酸、あるいは、欧州特許３４５，１７２Ａ１号に記載の無水マレイン酸ポリマーの加水分解物などをあげることができる。
【００９６】
上記水洗水及び／又は安定化液の補充に伴うオーバーフロー液は脱銀工程等他の工程において再利用することもできる。本発明の処理機について、駆動以外の部分について記述する。カラー現像液、カラー現像補充液は、処理槽及び補充液槽で、液が空気と接触する面積（開口面積）はできるだけ小さい方が好ましい。例えば開口面積（cm2）を槽中の液体槽（cm3）で割った値を開口率とすると、開口率は、０．０１（cm-1）以下が好ましく、０．００５以下がより好ましく、特に０．００１以下が最も好ましい。
【００９７】
本発明においては、迅速に処理を行うために、各処理液間を感光材料が移動する際の空中時間、即ちクロスオーバー時間は短い程良く、好ましくは２０秒以下、より好ましくは１０秒以下、更に好ましくは５秒以下である。上記の様な短時のクロスオーバーを達成するため、本発明はシネ型の自動現像機を用いるのが好ましく、特にリーダー搬送方式やローラー搬送方式が好ましい。このような方式は、富士写真フイルム（株）製自動現像機ＦＰー５６０Ｂや同ＰＰ１８２０Ｖに用いられている。また、搬送の線速度は大きい方が好ましいが、毎分３０cm〜３０ｍが一般的であり、好ましくは５０cm〜１０ｍである。リーダーや感光材料の搬送手段としては、特開昭６０−１９１２５７号、同６０−１９１２５８号、同６０−１９１２５９号に記載のベルト搬送方式が好ましい。また、クロスオーバー時間を短縮し、かつ処理液の混入を防止するため、混入防止板を有するクロスオーバーラックの構造が好ましい。
【００９８】
本発明における各処理液には、処理液の蒸発分に相当する水を供給する、いわゆる蒸発補正を行うことが好ましい。特に、発色現像液において好ましい。このような水の補充を行う具体的方法としては、液レベルセンサーやオーバーフローセンサーを用いた蒸発補正方法が好ましい。最も好ましい蒸発補正方式は、蒸発分に相当する水を予想して加えるもので、自動現像機の運転時間、停止時間及び温調時間の情報に基づいて予め求められた係数により計算された加水量を添加するものである。
【００９９】
また、蒸発量を減少させる工夫も必要であり、開口面積を少なくしたり、排気ファンの風量を調節することが要求される。例えば、発色現像液の好ましい開口率は前記した通りであるが、他の処理液においても同様に開口面積を低下させることが好ましい。排気ファンは、温調時の結露防止のために取付けられているが、好ましい排気量としては、毎分０．１m3〜１m3であり、特に好ましい排気量としては、０．２m3〜０．４m3である。また、感光材料の乾燥条件も処理液の蒸発に影響する。乾燥方式としては、セラミック温風ヒーターを用いるのが好ましく、供給風量としては毎分４m3〜２０m3が好ましく、特に６m3〜１０m3が好ましい。セラミック温風ヒーターの加熱防止用サーモスタットは、伝熱によって動作させる方式が好ましく、取付け位置は、放熱フィンや伝熱部を通じて風下または風上に取りつけるのが好ましい。乾燥温度は、処理される感光材料の含水量によって調整することが好ましく、３５mm幅のフィルムでは４５〜５５℃、ブローニーフィルムでは５５〜６５℃、プリント材料では６０〜９０℃が最適である。処理液の補充に際しては補充ポンプが用いられるが、ベローズ式の補充ポンプが好ましい。また、補充精度を向上させる方法としては、ポンプ停止時の逆流を防止するため、補充ノズルヘの送液チューブの径を細くしておくことが有効である。好ましい内径としては１〜８mm、特に好ましい内径としては２から５mmである。
【０１００】
自動現像機には前述した駆動部以外にも種々の部品材料が用いられるが、好ましい材料を以下に記載する。処理槽及び温調槽等のタンク材質は、変性ＰＰＯ（変性ポリフェニレンオキサイド）、変性ＰＰＥ（変性ポリフェニレンエーテル）樹脂が好ましい。変性ＰＰＯは、日本ジーイープラスチック社製「ノリル」、変性ＰＰＥは、旭化成工業製「ザイロン」、三菱瓦斯化学製「ユピエース」等が挙げられる。また、これらの材質は、処理ラック、クロスオーバー等の処理液に接触する可能性のある部位に適している。
【０１０１】
乾燥時間は１０秒〜２分が好ましく、特に２０秒〜８０秒がより好ましい。以上、主として補充方式による連続処理について述べてきたが、本発明においては一定量の処理液で補充を行わずに処理を行い、その後処理液の全量あるいは一部を新液に交換し再び処理を行うバッチ処理方式も好ましく用いることができる。
【０１０２】
６．２  本発明に用いられるカラーネガフィルム
次に本発明に使用される感光材料（カラーネガフィルム）について詳細を説明する。
【０１０３】
本発明に係わるカラーネガフィルムは、支持体上に少なくとも１層の感光性層が設けられていればよい。典型的な例としては支持体上に、実質的に感色性は同じであるが感光度の異なる複数のハロゲン化銀乳剤層から成る感光性層を少なくとも１つ有するハロゲン化銀写真感光材料である。該感光性層は青色光、緑色光、および赤色光の何れかに感色性を有する単位感光性層であり、多層ハロゲン化銀カラー写真感光材料においては、一般に単位感光性層の配列が、支持体側から順に赤感色性層、緑感色性層、青感色性層の順に設置される。しかし、目的に応じて上記設置順が逆であっても、また同一感色性層中に異なる感光性層が挟まれたような設置順をもとり得る。上記のハロゲン化銀感光性層の間および最上層、最下層には非感光性層を設けてもよい。
【０１０４】
これらには、後述のカプラー、ＤＩＲ化合物、混色防止剤等が含まれていてもよい。各単位感光性層を構成する複数のハロゲン化銀乳剤層はＤＥ１，１２１，４７０あるいはＧＢ９２３，０４５に記載されているように高感度乳剤層、低感度乳剤層の２層を、支持体に向かって順次感光度が低くなる様に配列するのが好ましい。また、特開昭５７−１１２７５１、同６２−２００３５０、同６２−２０６５４１、６２−２０６５４３に記載されているように支持体より離れた側に低感度乳剤層、支持体に近い側に高感度乳剤層を設置してもよい。具体例として支持体から最も遠い側から、低感度青感光性層（ＢＬ）／高感度青感光性層（ＢＨ）／高感度緑感光性層（ＧＨ）／低感度緑感光性層（ＧＬ）／高感度赤感光性層（ＲＨ）／低感度赤感光性層（ＲＬ）の順、またはＢＨ／ＢＬ／ＧＬ／ＧＨ／ＲＨ／ＲＬの順、またはＢＨ／ＢＬ／ＧＨ／ＧＬ／ＲＬ／ＲＨの順等に設置することができる。また特公昭５５−３４９３２公報に記載されているように、支持体から最も遠い側から青感光性層／ＧＨ／ＲＨ／ＧＬ／ＲＬの順に配列することもできる。また特開昭５６−２５７３８、同６２−６３９３６に記載されているように、支持体から最も遠い側から青感光性層／ＧＬ／ＲＬ／ＧＨ／ＲＨの順に配列することもできる。
【０１０５】
また特公昭４９−１５４９５に記載されているように上層を最も感光度の高いハロゲン化銀乳剤層、中層をそれよりも低い感光度のハロゲン化銀乳剤層、下層を中層よりも更に感光度の低いハロゲン化銀乳剤層を配置し、支持体に向かって感光度が順次低められた感光度の異なる３層から構成される配列が挙げられる。このような感光度の異なる３層から構成される場合でも、特開昭５９−２０２４６４に記載されているように、同一感色性層中において支持体より離れた側から中感度乳剤層／高感度乳剤層／低感度乳剤層の順に配置されてもよい。その他、高感度乳剤層／低感度乳剤層／中感度乳剤層、あるいは低感度乳剤層／中感度乳剤層／高感度乳剤層の順に配置されていてもよい。また、４層以上の場合にも、上記の如く配列を変えてよい。色再現性を改良するために、ＵＳ４，６６３，２７１、同４，７０５，７４４、同４，７０７，４３６、特開昭６２−１６０４４８、同６３−８９８５０の明細書に記載の、ＢＬ，ＧＬ，ＲＬなどの主感光層と分光感度分布が異なる重層効果のドナー層（ＣＬ）を主感光層に隣接もしくは近接して配置することが好ましい。
【０１０６】
本発明に用いられる好ましいハロゲン化銀は約３０モル％以下のヨウ化銀を含む、ヨウ臭化銀、ヨウ塩化銀、もしくはヨウ塩臭化銀である。特に好ましいのは約２モル％から約１０モル％までのヨウ化銀を含むヨウ臭化銀もしくはヨウ塩臭化銀である。写真乳剤中のハロゲン化銀粒子は、立方体、八面体、十四面体のような規則的な結晶を有するもの、球状、板状のような変則的な結晶形を有するもの、双晶面などの結晶欠陥を有するもの、あるいはそれらの複合形でもよい。ハロゲン化銀の粒径は、約０．２μｍ以下の微粒子でも投影面積直径が約１０μｍに至るまでの大サイズ粒子でもよく、多分散乳剤でも単分散乳剤でもよい。本発明に使用できるハロゲン化銀写真乳剤は例えばリサーチ・ディスクロージャー（以下、ＲＤと略す）Ｎｏ．１７６４３（１９７８年１２月），２２〜２３頁，“Ｉ．乳剤製造（Emulsion preparation and types）”、および同Ｎｏ．１８７１６（１９７９年１１月），６４８頁、同Ｎｏ．３０７１０５（１９８９年ｌｌ月），８６３〜８６５頁、およびグラフキデ著「写真の物理と化学」、ポールモンテル社刊（P.Glafkides, Chemie et Phisique Photographique, Paul Montel、１９６７）、ダフィン著「写真乳剤化学」、フォーカルプレス社刊（G.F.Duffin, Photographic Emulsion Chemistry, Focal Press，１９６６）、ゼリグマンら著「写真乳剤の製造と塗布」フォーカルプレス社刊（V.L.Zelikman,et al., Making and Coating Photographic Emulsion, Focal Press，１９６４）などに記載された方法を用いて調製することができる。
【０１０７】
ＵＳ３，５７４，６２８、同３，６５５，３９４およびＧＢ１，４１３，７４８に記載された単分散乳剤も好ましい。また、アスペクト比が約３以上であるような平板状粒子も本発明に使用できる。平板状粒子はガトフ著、フォトグラフィック・サイエンス・アンド・エンジニアリング（Gutoff, Photographic Science and Engineering）、第１４巻２４８〜２５７頁（１９７０年）；ＵＳ４，４３４，２２６、同４，４１４，３１０、同４，４３３，０４８、同４，４３９，５２０およびＧＢ２，１１２，１５７に記載の方法により簡単に調製することができる。結晶構造は一様なものでも、内部と外部とが異質なハロゲン組成からなるものでもよく、層状構造をなしていてもよい。エピタキシャル接合によって組成の異なるハロゲン化銀が接合されていてもよく、例えばロダン銀、酸化鉛などのハロゲン化銀以外の化合物と接合されていてもよい。また種々の結晶形の粒子の混合物を用いてもよい。上記の乳剤は潜像を主として表面に形成する表面潜像型でも、粒子内部に形成する内部潜像型でも表面と内部のいずれにも潜像を有する型のいずれでもよいが、ネガ型の乳剤であることが必要である。内部潜像型のうち、特開昭６３−２６４７４０に記載のコア／シェル型内部潜像型乳剤であってもよく、この調製方法は特開昭５９−１３３５４２に記載されている。この乳剤のシェルの厚みは現像処理等によって異なるが、３〜４０nmが好ましく、５〜２０nmが特に好ましい。
【０１０８】
ハロゲン化銀乳剤は通常、物理熟成、化学熟成および分光増感を行ったものを使用する。このような工程で使用される添加剤はＲＤ  Ｎｏ．１７６４３、同Ｎｏ．１８７１６および同Ｎｏ．３０７１０５に記載されており、その該当箇所を後掲の表にまとめた。本発明の感光材料には感光性ハロゲン化銀乳剤の粒子サイズ、粒子サイズ分布、ハロゲン組成、粒子の形状、感度の少なくとも１つの特性の異なる２種類以上の乳剤を、同一層中に混合して使用することができる。ＵＳ４，０８２，５５３に記載の粒子表面をかぶらせたハロゲン化銀粒子、ＵＳ４，６２６，４９８、特開昭５９−２１４８５２に記載の粒子内部をかぶらせたハロゲン化銀粒子、コロイド銀を感光性ハロゲン化銀乳剤層および／または実質的に非感光性の親水性コロイド層に適用することが好ましい。粒子内部または表面をかぶらせたハロゲン化銀粒子とは感光材料の未露光部および露光部を問わず一様に（非像様に）現像が可能となるハロゲン化銀粒子のことをいい、その調製法はＵＳ４，６２６，４９８、特開昭５９−２１４８５２に記載されている。粒子内部がかぶらされたコア／シェル型ハロゲン化銀粒子の内部核を形成するハロゲン化銀は、ハロゲン組成が異なっていてもよい。粒子内部または表面をかぶらせたハロゲン化銀としては塩化銀、塩臭化銀、沃臭化銀、塩沃臭化銀のいずれをも用いることができる。これらのかぶらされたハロゲン化銀粒子の平均粒子サイズとしては０．０１〜０．７５μｍ、特に０．０５〜０．６μｍが好ましい。また、粒子形状は規則的な粒子でもよく、多分散乳剤でもよいが、単分散性（ハロゲン化銀粒子の重量または粒子数の少なくとも９５％が平均粒子径の±４０％以内の粒子径を有するもの）であることが好ましい。
【０１０９】
本発明には非感光性微粒子ハロゲン化銀を使用することが好ましい。非感光性微粒子ハロゲン化銀とは色素画像を得るための像様露光時においては感光せずに、その現像処理において実質的に現像されないハロゲン化銀微粒子であり、あらかじめカブラされていないほうが好ましい。微粒子ハロゲン化銀は、臭化銀の含有率が０〜１００モル％であり、必要に応じて塩化銀および／または沃化銀を含有してもよい。好ましくは沃化銀を０．５〜１０モル％含有するものである。微粒子ハロゲン化銀は平均粒径（投影面積の円相当直径の平均値）が０．０１〜０．５μｍが好ましく、０．０２〜０．２μｍがより好ましい。微粒子ハロゲン化銀は通常の感光性ハロゲン化銀と同様の方法で調製できる。ハロゲン化銀粒子の表面は、光学的に増感される必要はなく、また分光増感も不要である。ただし、これを塗布液に添加するのに先立ち、あらかじめトリアゾール系、アザインデン系、ベンゾチアゾリウム系、もしくはメルカプト系化合物または亜鉛化合物などの公知の安定剤を添加しておくことが好ましい。この微粒子ハロゲン化銀粒子含有層に、コロイド銀を含有させることができる。本発明の感光材料の塗布銀量は８．０g/m2以下が好ましく、６．０g/m2以下が最も好ましい。
【０１１０】
本発明に使用できる写真用添加剤もＲＤに記載されており、下記の表に関連する記載箇所を示した。
【０１１１】
【表３】
0003729375.tif 000004
【０１１２】
本発明の感光材料には種々の色素形成カプラーを使用することができるが、以下のカプラーが特に好ましい。
イエローカプラー：ＥＰ５０２，４２４Ａの式（Ｉ), (II）で表わされるカプラー；ＥＰ５１３，４９６Ａの式（１), (２）で表わされるカプラー（特に１８頁のＹ−２８）；ＥＰ５６８，０３７Ａのクレーム１の式（Ｉ）で表わされるカプラー；ＵＳ５，０６６，５７６のカラム１の４５〜５５行の一般式（Ｉ）で表わされるカプラー；特開平４−２７４４２５の段落０００８の一般式（Ｉ）で表わされるカプラー；ＥＰ４９８，３８１Ａ１の４０頁のクレーム１に記載のカプラー（特に１８頁のＤ−３５）；ＥＰ４４７，９６９Ａ１の４頁の式（Ｙ）で表わされるカプラー（特にＹ−１（１７頁），Ｙ−５４（４１頁））；ＵＳ４，４７６，２１９のカラム７の３６〜５８行の式（II）〜（IV）で表わされるカプラー（特にII−１７，１９（カラム１７），II−２４（カラム１９））。
マゼンタカプラー；特開平３−３９７３７（Ｌ−５７（１１頁右下），Ｌ−６８（１２頁右下），Ｌ−７７（１３頁右下）；ＥＰ４５６，２５７のＡ−４−６３（１３４頁），Ａ−４−７３，−７５（１３９頁）；ＥＰ４８６，９６５のＭ−４，−６（２６頁），Ｍ−７（２７頁）；ＥＰ５７１，９５９ＡのＭ−４５（１９頁）；特開平５−２０４１０６の（Ｍ−１)(６頁）；特開平４−３６２６３１の段落０２３７のＭ−２２。
【０１１３】
シアンカプラー：特開平４−２０４８４３のＣＸ−１，３，４，５，１１，１２，１４，１５（１４〜１６頁）；特開平４−４３３４５のＣ−７，１０（３５頁），３４，３５（３７頁), (Ｉ−１), (Ｉ−１７）（４２〜４３頁）；特開平６−６７３８５の請求項１の一般式（Ｉａ）または（Ｉｂ）で表わされるカプラー。
ポリマーカプラー：特開平２−４４３４５のＰ−１，Ｐ−５（１１頁）。
【０１１４】
発色色素が適度な拡散性を有するカプラーとしては、ＵＳ４，３６６，２３７、ＧＢ２，１２５，５７０、ＥＰ９６，８７３Ｂ、ＤＥ３，２３４，５３３に記載のものが好好ましい。発色色素の不要吸収を補正するためのカプラーはＥＰ４５６，２５７Ａ１の５頁に記載の式（ＣＩ), (ＣII), (ＣIII), (ＣIV）で表わされるイエローカラードシアンカプラー（特に８４頁のＹＣ−８６）、該ＥＰに記載のイエローカラードマゼンタカプラーＥｘＭ−７（２０２頁）、ＥＸ−１（２４９頁）、ＥＸ−７（２５１頁）、ＵＳ４，８３３，０６９に記載のマゼンタカラードシアンカプラーＣＣ−９（カラム８）、ＣＣ−１３（カラム１０）、ＵＳ４，８３７，１３６の（２）（カラム８）、ＷＯ９２／１１５７５のクレーム１の式（Ａ）で表わされる無色のマスキングカプラー（特に３６〜４５頁の例示化合物）が好ましい。
【０１１５】
現像主薬酸化体と反応して写真的に有用な化合物残基を放出する化合物（カプラーを含む）としては以下のものが挙げられる。現像抑制剤放出化合物：ＥＰ３７８，２３６Ａ１の１１頁に記載の式（Ｉ), (II), (III), (IV）で表わされる化合物（特にＴ−１０１（３０頁），Ｔ−１０４（３１頁），Ｔ−１１３（３６頁），Ｔ−１３１（４５頁），Ｔ−１４４（５１頁），Ｔ−１５８（５８頁）），ＥＰ４３６，９３８Ａ２の７頁に記載の式（Ｉ）で表わされる化合物（特にＤ−４９（５１頁））、ＥＰ５６８，０３７Ａの式（１）で表わされる化合物（特に（２３）（１１頁））、ＥＰ４４０，１９５Ａ２の５〜６頁に記載の式（Ｉ), (II), (III）で表わされる化合物（特に２９頁のＩ−（１））；
【０１１６】
漂白促進剤放出化合物：ＥＰ３１０，１２５Ａ２の５頁の式（Ｉ), (Ｉ′）で表わされる化合物（特に６１頁の（６０), (６１））及び特開平６−５９４１１の請求項１の式（Ｉ）で表わされる化合物（特に（７）（７頁）；リガンド放出化合物：ＵＳ４，５５５，４７８のクレーム１に記載のＬＩＧ−Ｘで表わされる化合物（特にカラム１２の２１〜４１行目の化合物）；ロイコ色素放出化合物：ＵＳ４，７４９，６４１のカラム３〜８の化合物１〜６；蛍光色素放出化合物：ＵＳ４，７７４，１８１のクレーム１のＣ０ＵＰ−ＤＹＥで表わされる化合物（特にカラム７−１０の化合物１−１１）；現像促進剤又はカブラセ剤放出化合物：ＵＳ４，６５６，１２３のカラム３の式（１）、（２）、（３）で表わされる化合物（特にカラム２５の（Ｉ−２２））及びＥＰ４５０，６３７Ａ２の７５頁３６〜３８行目のＥｘＺＫ−２；離脱して初めて色素となる基を放出する化合物：ＵＳ４，８５７，４４７のクレーム１の式（Ｉ）で表わされる化合物（特にカラム２５〜３６のＹ−１〜Ｙ−１９）。
【０１１７】
カプラー以外の添加剤としては以下のものが好ましい。
油溶性有機化合物の分散媒：特開昭６２−２１５２７２のＰ−３，５，１６，１９，２５，３０，４２，４９，５４，５５，６６，８１，８５，８６，９３（１４０〜１４４頁）；油溶性有機化合物の含浸用ラテックス：ＵＳ４，１９９，３６３に記載のラテックス；現像主薬酸化体スカベンジャー：ＵＳ４，９７８，６０６のカラム２の５４〜６２行の式（Ｉ）で表わされる化合物（特にＩ−，（１), (２), (６), (１２）（カラム４〜５）、ＵＳ４，９２３，７８７のカラム２の５〜１０行の式（特に化合物１（カラム３）；ステイン防止剤：ＥＰ２９８３２１Ａの４頁３０〜３３行の式（Ｉ）〜（III），特にＩ−４７，７２，III−ｌ，２７（２４〜４８頁）；褪色防止剤：ＥＰ２９８３２１ＡのＡ−６，７，２０，２１，２３，２４，２５，２６，３０，３７，４０，４２，４８，６３，９０，９２，９４，１６４（６９〜１１８頁），ＵＳ５，１２２，４４４のカラム２５〜３８のII−１〜III−２３，特にIII−１０，ＥＰ４７１３４７Ａの８〜１２頁のＩ−１〜III−４，特にII−２，ＵＳ５，１３９，９３１のカラム３２〜４０のＡ−１〜４８，特にＡ−３９，４２；発色増強剤または混色防止剤の使用量を低減させる素材：ＥＰ４１１３２４Ａの５〜２４頁のＩ−１〜II−１５，特にＩ−４６；ホルマリンスカベンジャー：ＥＰ４７７９３２Ａの２４〜２９頁のＳＣＶ−１〜２８，特にＳＣＶ−８；
【０１１８】
硬膜剤：特開平１−２１４８４５の１７頁のＨ−１，４，６，８，１４，ＵＳ４，６１８，５７３のカラム１３〜２３の式（VII）〜（XII）で表わされる化合物（Ｈ−１〜５４），特開平２−２１４８５２の８頁右下の式（６）で表わされる化合物（Ｈ−１〜７６），特にＨ−１４，ＵＳ３，３２５，２８７のクレーム１に記載の化合物；現像抑制剤プレカーサー：特開昭６２−１６８１３９のＰ−２４，３７，３９（６〜７頁）；ＵＳ５，０１９，４９２のクレーム１に記載の化合物，特にカラム７の２８，２９；防腐剤、防黴剤：ＵＳ４，９２３，７９０のカラム３〜１５のＩ−１〜III−４３，特にII−１，９，１０，１８，III−２５；安定剤、かぶり防止剤：ＵＳ４，９２３，７９３のカラム６〜１６のＩ−１〜（１４），特にＩ−１，６０，（２), (１３），ＵＳ４，９５２，４８３のカラム２５〜３２の化合物１〜６５，特に３６：化学増感剤：トリフェニルホスフィン  セレニド，特開平５−４０３２４の化合物５０；
【０１１９】
染料：特開平３−１５６４５０の１５〜１８頁のａ−１〜ｂ−２０，特にａ−１，１２，１８，２７，３５，３６，ｂ−５，２７〜２９頁のＶ−１〜２３，特にＶ−１，ＥＰ４４５６２７Ａの３３〜５５頁のＦ−Ｉ−１〜Ｆ−II−４３，特にＦ−Ｉ−１１，Ｆ−II−８，ＥＰ４５７１５３Ａの１７〜２８頁のIII−１〜３６，特にIII−１，３，ＷＯ８８／０４７９４の８〜２６のＤｙｅ−１〜１２４の微結晶分散体，ＥＰ３１９９９９Ａの６〜１１頁の化合物１〜２２，特に化合物ｌ，ＥＰ５１９３０６Ａの式（１）ないし（３）で表わされる化合物Ｄ−１〜８７（３〜２８頁），ＵＳ４，２６８，６２２の式（Ｉ）で表わされる化合物１〜２２（カラム３〜１０），ＵＳ４，９２３，７８８の式（Ｉ）で表わされる化合物（１）〜（３１）（カラム２〜９）；ＵＶ吸収剤：特開昭４６−３３３５の式（１）で表わされる化合物（１８ｂ）〜（１８ｒ），１０１〜４２７（６〜９頁），ＥＰ５２０９３８Ａの式（Ｉ）で表わされる化合物（３）〜（６６）（１０〜４４頁）及び式（III）で表わされる化合物ＨＢＴ−１〜１０（１４頁），ＥＰ５２１８２３Ａの式（１）で表わされる化合物（１）〜（３１）（カラム２−９）。
【０１２０】
本発明は一般用もしくは映画用の汎用のカラーネガフイルムに適用することができる。また、特公平２−３２６１５、実公平３−３９７８４に記載されているレンズ付きフィルムユニット用に好適である。本発明に使用できる適当な支持体は、例えば前述のＲＤ．Ｎｏ．１７６４３の２８頁、同Ｎｏ．１８７１６の６４７頁右欄から６４８頁左欄、および同Ｎｏ．３０７１０５の８７９頁に記載されているが、ポリエステル支持体を用いるのが好ましい。
【０１２１】
本発明に使用されるカラーネガフィルムは、磁気記録層を有する場合が好ましい。本発明に用いられる磁気記録層について説明する。本発明に用いられる磁気記録層とは、磁性体粒子をバインダー中に分散した水性もしくは有機溶媒系塗布液を支持体上に塗設したものである。本発明で用いられる磁性体粒子は、γＦｅ2Ｏ3などの強磁性酸化鉄、Ｃｏ被着γＦｅ2Ｏ3、Ｃｏ被着マグネタイト、Ｃｏ含有マグネタイト、強磁性二酸化クロム、強磁性金属、強磁性合金、六方晶系のＢａフェライト、Ｓｒフェライト、Ｐｂフェライト、Ｃａフェライトなどを使用できる。Ｃｏ被着γＦｅ2Ｏ3などのＣｏ被着強磁性酸化鉄が好ましい。形状としては針状、米粒状、球状、立方体状、板状等いずれでもよい。比表面積ではＳBETで２０m2/g以上が好ましく、３０m2/g以上が特に好ましい。強磁性体の飽和磁化（σｓ）は、好ましくは３．０×１０4〜３．０×１０5Ａ／ｍであり、特に好ましくは４．０×１０4〜２．５×１０5Ａ／ｍである。強磁性体粒子を、シリカおよび／またはアルミナや有機素材による表面処理を施してもよい。さらに、磁性体粒子は特開平６−１６１０３２に記載された如くその表面にシランカップリング剤又はチタンカップリング剤で処理されてもよい。又特開平４−２５９９１１、同５−８１６５２号に記載の表面に無機、有機物を被覆した磁性体粒子も使用できる。
【０１２２】
磁性体粒子に用いられるバインダーは、特開平４−２１９５６９に記載の熱可塑性樹脂、熱硬化性樹脂、放射線硬化性樹脂、反応型樹脂、酸、アルカリ又は生分解性ポリマー、天然物重合体（セルロース誘導体、糖誘導体など）およびそれらの混合物を使用することができる。上記の樹脂のＴｇは−４０℃〜３００℃、重量平均分子量は０．２万〜１００万である。例えばビニル系共重合体、セルロースジアセテート、セルローストリアセテート、セルロースアセテートプロピオネート、セルロースアセテートブチレート、セルローストリプロピオネートなどのセルロース誘導体、アクリル樹脂、ポリビニルアセタール樹脂を挙げることができ、ゼラチンも好ましい。特にセルロースジ（トリ）アセテートが好ましい。バインダーは、エポキシ系、アジリジン系、イソシアネート系の架橋剤を添加して硬化処理することができる。イソシアネート系の架橋剤としてはトリレンジイソシアネート、４，４′−ジフェニルメタンジイソシアネート、ヘキサメチレンジイソシアネート、キシリレンジイソシアネート、などのイソシアネート類、これらのイソシアネート類とポリアルコールとの反応生成物（例えば、トリレンジイソシアナート３molとトリメチロールプロパン１molの反応生成物）、及びこれらのイソシアネート類の縮合により生成したポリイソシアネートなどがあげられ、例えば特開平６−５９３５７に記載されている。
【０１２３】
前述の磁性体を上記バインダー中に分散する方法は、特開平６−３５０９２に記載されている方法のように、ニーダー、ピン型ミル、アニュラー型ミルなどが好ましく併用も好ましい。特開平５−０８８２８３に記載の分散剤や、その他の公知の分散剤が使用できる。磁気記録層の厚みは０．１μｍ〜１０μｍ、好ましくは０．２μｍ〜５μｍ、より好ましくは０．３μｍ〜３μｍである。磁性体粒子とバインダーの重量比は好ましくは０．５：１００〜６０：１００からなり、より好ましくは１：１００〜３０：１００である。磁性体粒子の塗布量は０．００５〜３g/m2、好ましくは０．０１〜２g/m2、さらに好ましくは０．０２〜０．５g/m2である。磁気記録層の透過イエロー濃度は、０．０１〜０．５０が好ましく、０．０３〜０．２０がより好ましく、０．０４〜０．１５が特に好ましい。磁気記録層は、写真用支持体の裏面に塗布又は印刷によって全面またはストライプ状に設けることができる。磁気記録層を塗布する方法としてはエアードクター、ブレード、エアナイフ、スクイズ、含浸、リバースロール、トランスファーロール、グラビヤ、キス、キャスト、スプレイ、ディップ、バー、エクストリュージョン等が利用でき、特開平５−３４１４３６等に記載の塗布液が好ましい。
【０１２４】
磁気記録層に、潤滑性向上、カール調節、帯電防止、接着防止、ヘッド研磨などの機能を合せ持たせてもよいし、別の機能性層を設けて、これらの機能を付与させてもよく、粒子の少なくとも１種以上がモース硬度が５以上の非球形無機粒子の研磨剤が好ましい。非球形無機粒子の組成としては酸化アルミニウム、酸化クロム、二酸化珪素、二酸化チタン、シリコンカーバイト等の酸化物、炭化珪素、炭化チタン等の炭化物、ダイアモンド等の微粉末が好ましい。これらの研磨剤はその表面をシランカップリング剤又はチタンカップリング剤で処理されてもよい。これらの粒子は磁気記録層に添加してもよく、また磁気記録層上にオーバーコート（例えば保護層、潤滑剤層など）しても良い。この時使用するバインダーは前述のものが使用でき、好ましくは磁気記録層のバインダーと同じものがよい。磁気記録層を有する感材についてはＵＳ５，３３６，５８９、同５，２５０，４０４、同５，２２９，２５９、同５，２１５，８７４、ＥＰ４６６，１３０に記載されている。
【０１２５】
本発明に用いられるポリエステル支持体について記すが、後述する感材、処理、カートリッジ及び実施例なども含め詳細については公開技報、公技番号９４−６０２３（発明協会；１９９４．３．１５．）に記載されている。本発明に用いられるポリエステルはジオールと芳香族ジカルボン酸を必須成分として形成され、芳香族ジカルボン酸として２，６−、１，５−、１，４−、及び２，７−ナフタレンジカルボン酸、テレフタル酸、イソフタル酸、フタル酸、ジオールとしてジエチレングリコール、トリエチレングリコール、シクロヘキサンジメタノール、ビスフェノールＡ、ビスフェノールが挙げられる。この重合ポリマーとしてはポリエチレンテレフタレート、ポリエチレンナフタレート、ポリシクロヘキサンジメタノールテレフタレート等のホモポリマーを挙げることができる。特に好ましいのは２，６−ナフタレンジカルボン酸を５０モル％〜１００モル％含むポリエステルである。中でも特に好ましいのはポリエチレン  ２，６−ナフタレートである。平均分子量の範囲は約５，０００ないし２００，０００である。本発明のポリエステルのＴｇは５０℃以上であり、さらに９０℃以上が好ましい。
【０１２６】
次にポリエステル支持体は、巻き癖をつきにくくするために熱処理温度は４０℃以上Ｔｇ未満、より好ましくはＴｇ−２０℃以上Ｔｇ未満で熱処理を行う。熱処理はこの温度範囲内の一定温度で実施してもよく、冷却しながら熱処理してもよい。この熱処理時間は０．１時間以上１５００時間以下、さらに好ましくは０．５時間以上２００時間以下である。支持体の熱処理はロール状で実施してもよく、またウェブ状で搬送しながら実施してもよい。表面に凹凸を付与し（例えばＳｎＯ2やＳｂ2Ｏ5等の導電性無機微粒子を塗布する）、面状改良を図ってもよい。又端部にローレットを付与し端部のみ少し高くすることで巻芯部の切り口写りを防止するなどの工夫を行うことが望ましい。これらの熱処理は支持体製膜後、表面処理後、バック層塗布後（帯電防止剤、滑り剤等）、下塗り塗布後のどこの段階で実施してもよい。好ましいのは帯電防止剤塗布後である。このポリエステルには紫外線吸収剤を練り込んでも良い。又ライトパイピング防止のため、三菱化成製のDiaresin、日本化薬製のKayaset等ポリエステル用として市販されている染料または顔料を練り込むことにより目的を達成することが可能である。
【０１２７】
次に、本発明では支持体と感材構成層を接着させるために、表面処理することが好ましい。薬品処理、機械的処理、コロナ放電処理、火焔処理、紫外線処理、高周波処理、グロー放電処理、活性プラズマ処理、レーザー処理、混酸処理、オゾン酸化処理、などの表面活性化処理が挙げられる。表面処理の中でも好ましいのは紫外線照射処理、火焔処理、コロナ処理、グロー処理である。次に下塗法について述べると、単層でもよく２層以上でもよい。下塗層用バインダーとしては、塩化ビニル、塩化ビニリデン、ブタジエン、メタクリル酸、アクリル酸、イタコン酸、無水マレイン酸などの中から選ばれた単量体を出発原料とする共重合体を始めとして、ポリエチレンイミン、エポキシ樹脂、グラフト化ゼラチン、ニトロセルロース、ゼラチンが挙げられる。支持体を膨潤させる化合物としてレゾルシンとｐ−クロルフェノールがある。下塗層にはゼラチン硬化剤としてはクロム塩（クロム明ばんなど）、アルデヒド類（ホルムアルデヒド、グルタールアルデヒドなど）、イソシアネート類、活性ハロゲン化合物（２，４−ジクロロ−６−ヒドロキシ−Ｓ−トリアジンなど）、エピクロルヒドリン樹脂、活性ビニルスルホン化合物などを挙げることができる。ＳｉＯ2、ＴｉＯ2、無機物微粒子又はポリメチルメタクリレート共重合体微粒子（０．０１〜１０μｍ）をマット剤として含有させてもよい。
【０１２８】
また本発明においては帯電防止剤が好ましく用いられる。それらの帯電防止剤としては、カルボン酸及びカルボン酸塩、スルホン酸塩を含む高分子、カチオン性高分子、イオン性界面活性剤化合物を挙げることができる。帯電防止剤として最も好ましいものはＺｎＯ、ＴｉＯ2、ＳｎＯ2、Ａｌ2Ｏ3、Ｉｎ2Ｏ3、ＳｉＯ2、ＭｇＯ、ＢａＯ、ＭｏＯ3、Ｖ2Ｏ5の中から選ばれた少くとも１種の体積抵抗率が１０7Ω・cm以下、より好ましくは１０5Ω・cm以下である粒子サイズ０．００１〜１．０μｍ結晶性の金属酸化物あるいはこれらの複合酸化物（Ｓｂ，Ｐ，Ｂ，Ｉｎ，Ｓ，Ｓｉ，Ｃなど）の微粒子、更にはゾル状の金属酸化物あるいはこれらの複合酸化物の微粒子である。感材への含有量としては５〜５００mg/m2が好ましく特に好ましくは１０〜３５０mg/m2である。導電性の結晶性酸化物又はその複合酸化物とバインダーの量の比は１／３００〜１００／１が好ましく、より好ましくは１／１００〜１００／５である。
【０１２９】
本発明の感材には滑り性がある事が好ましい。滑り剤含有層は感光層面、バック面ともに用いることが好ましい。好ましい滑り性としては動摩擦係数で０．２５以下０．０１以上である。この時の測定は直径５mmのステンレス球に対し、６０cm／分で搬送した時の値を表す（２５℃、６０％ＰＨ）。この評価において相手材として感光層面に置き換えてもほぼ同レベルの値となる。本発明に使用可能な滑り剤としてはポリオルガノシロキサン、高級脂肪酸アミド、高級脂肪酸金属塩、高級脂肪酸と高級アルコールのエステル等であり、ポリオルガノシロキサンとしてはポリジメチルシロキサン、ポリジエチルシロキサン、ポリスチリルメチルシロキサン、ポリメチルフェニルシロキサン等を用いることができる。添加層としては乳剤層の最外層やバック層が好ましい。特にポリジメチルシロキサンや長鎖アルキル基を有するエステルが好ましい。
【０１３０】
本発明の感材にはマット剤が有る事が好ましい。マット剤としては乳剤面、バック面とどちらでもよいが、乳剤側の最外層に添加するのが特に好ましい。マット剤は処理液可溶性でも処理液不溶性でもよく、好ましくは両者を併用することである。例えばポリメチルメタクリレート、ポリ（メチルメタクリレート／メタクリル酸＝９／１又は５／５（モル比））、ポリスチレン粒子などが好ましい。粒径としては０．８〜１０μｍが好ましく、その粒径分布も狭いほうが好ましく、平均粒径の０．９〜１．１倍の間に全粒子数の９０％以上が含有されることが好ましい。又マット性を高めるために０．８μｍ以下の微粒子を同時に添加することも好ましく例えばポリメチルメタクリレート（０．２μｍ）、ポリ（メチルメタクリレート／メタクリル酸＝９／１（モル比）、０．３μｍ））、ポリスチレン粒子（０．２５μｍ）、コロイダルシリカ（０．０３μｍ）が挙げられる。
【０１３１】
次に本発明で用いられるフィルムパトローネについて記す。本発明で使用されるパトローネの主材料は金属でも合成プラスチックでもよい。好ましいプラスチック材料はポリスチレン、ポリエチレン、ポリプロピレン、ポリフェニルエーテルなどである。更に本発明のパトローネは各種の帯電防止剤を含有してもよくカーボンブラック、金属酸化物粒子、ノニオン、アニオン、カチオン及びベタイン系界面活性剤又はポリマー等を好ましく用いることが出来る。これらの帯電防止されたパトローネは特開平１−３１２５３７、同１−３１２５３８に記載されている。特に２５℃、２５％ＲＨでの抵抗が１０12Ω以下が好ましい。通常プラスチックパトローネは遮光性を付与するためにカーボンブラックや顔料などを練り込んだプラスチックを使って製作される。パトローネのサイズは現在１３５サイズのままでもよいし、カメラの小型化には、現在の１３５サイズの２５mmのカートリツジの径を２２mm以下とすることも有効である。パトローネのケースの容積は３０cm3以下好ましくは２５cm3以下とすることが好ましい。パトローネおよびパトローネケースに使用されるプラスチックの重量は５ｇ〜１５ｇが好ましい。
【０１３２】
更に本発明で用いられる、スプールを回転してフィルムを送り出すパトローネでもよい。またフイルム先端がパトローネ本体内に収納され、スプール軸をフィルム送り出し方向に回転させることによってフィルム先端をパトローネのポート部から外部に送り出す構造でもよい。これらはＵＳ４，８３４，３０６、同５，２２６，６１３に開示されている。本発明に用いられる写真フィルムは現像前のいわゆる生フィルムでもよいし、現像処理された写真フィルムでもよい。又、生フィルムと現像済みの写真フィルムが同じ新パトローネに収納されていてもよいし、異なるパトローネでもよい。
【０１３３】
本発明の感光材料は、乳剤層を有する側の全親水性コロイド層の膜厚の総和が２８μｍ以下であることが好ましく、２３μｍ以下がより好ましく、１８μｍ以下が更に好ましく、１６μｍ以下が特に好ましい。また膜膨潤速度Ｔ1/2は３０秒以下が好ましく、２０秒以下がより好ましい。Ｔ1/2は発色現像液で３０℃、３分１５秒処理した時に到達する最大膨潤膜厚の９０％を飽和膜厚としたとき、膜厚そのものが１／２に到達するまでの時間と定義する。膜厚は２５℃相対湿度５５％調湿下（２日）で測定した膜厚を意味し、Ｔ1/2は、エー・グリーン（A.Green）らのフォトグラフィック・サイエンス・アンド・エンジニアリング（Photogr.Sci.Eng.），１９巻、２，１２４〜１２９頁に記載の型のスエロメーター（膨潤計）を使用することにより測定できる。Ｔ1/2は、バインダーとしてのゼラチンに硬膜剤を加えること、あるいは塗布後の経時条件を変えることによって調整することができる。また、膨潤率は１５０〜４００％が好ましい。膨潤率とはさきに述べた条件下での最大膨潤膜厚から、式：（最大膨潤膜厚−膜厚）／膜厚により計算できる。本発明の感光材料は、乳剤層を有する側の反対側に、乾燥膜厚の総和が２μｍ〜２０μｍの親水性コロイド層（バック層と称す）を設けることが好ましい。このバック層には、前述の光吸収剤、フィルター染料、紫外線吸収剤、スタチック防止剤、硬膜剤、バインダー、可塑剤、潤滑剤、塗布助剤、表面活性剤を含有させることが好ましい。このバック層の膨潤率は１５０〜５００％が好ましい。
【０１３４】
【実施例】
以下に、本発明を実施例により、更に詳細に説明するが、本発明はこれらに限定されるものではない。
【０１３５】
実施例１
１．試験したカラーネガフィルム
下記のように２種類のカラーネガフィルム試料１０１と１０２を作製した。
【０１３６】
下塗りを施した三酢酸セルロースフィルム支持体上に、下記に示すような組成の各層を重層塗布し、撮影用ネガ型多層カラー感光材料を作製した。
（感光層組成）
各層に使用する素材の主なものは下記のように分類されている；
ＥｘＣ：シアンカプラー              ＵＶ  ：紫外線吸収剤
ＥｘＭ：マゼンタカプラー            ＨＢＳ：高沸点有機溶剤
ＥｘＹ：イエローカプラー            Ｈ    ：ゼラチン硬化剤
ＥｘＳ：増感色素
各成分に対応する数字し、g/m2単位で表した塗布量を示し、ハロゲン化銀については、銀換算の塗布量を示す。ただし増感色素については、同一層のハロゲン化銀１モルに対する塗布量をモル単位で示す。
【０１３７】
〔試料１０１〕
第１層（ハレーション防止層）
黒色コロイド銀                                  銀      ０．０９
ゼラチン                                                １．６０
ＥｘＭ−１                                              ０．１２
ＥｘＦ−１                                          ２．０×１０-3
固体分散染料ＥｘＦ−２                                  ０．０３０
固体分散染料ＥｘＦ−３                                  ０．０４０
ＨＢＳ−１                                              ０．１５
ＨＢＳ−２                                              ０．０２
【０１３８】
第２層（中間層）
沃臭化銀乳剤Ｍ                                  銀      ０．０６５
ＥｘＣ−２                                              ０．０４
ポリエチルアクリレートラテックス                        ０．２０
ゼラチン                                                １．０４
【０１３９】
第３層（低感度赤感乳剤層）
沃臭化銀乳剤Ａ                                  銀      ０．２５
沃臭化銀乳剤Ｂ                                  銀      ０．２５
ＥｘＳ−１                                          ６．９×１０-5
ＥｘＳ−２                                          １．８×１０-5
ＥｘＳ−３                                          ３．１×１０-4
ＥｘＣ−１                                              ０．１７
ＥｘＣ−３                                              ０．０３０
ＥｘＣ−４                                              ０．１０
ＥｘＣ−５                                              ０．０２０
ＥｘＣ−６                                              ０．０１０
Ｃｐｄ−２                                              ０．０２５
ＨＢＳ−１                                              ０．１０
ゼラチン                                                ０．８７
【０１４０】
第４層（中感度赤感乳剤層）
沃臭化銀乳剤Ｃ                                  銀      ０．７０
ＥｘＳ−１                                          ３．５×１０-4
ＥｘＳ−２                                          １．６×１０-5
ＥｘＳ−３                                          ５．１×１０-4
ＥｘＣ−１                                              ０．１３
ＥｘＣ−２                                              ０．０６０
ＥｘＣ−３                                              ０．００７０
ＥｘＣ−４                                              ０．０９０
ＥｘＣ−５                                              ０．０１５
ＥｘＣ−６                                              ０．００７０
Ｃｐｄ−２                                              ０．０２３
ＨＢＳ−１                                              ０．１０
ゼラチン                                                ０．７５
【０１４１】
第５層（高感度赤感乳剤層）
沃臭化銀乳剤Ｄ                                  銀      １．４０
ＥｘＳ−１                                          ２．４×１０-4
ＥｘＳ−２                                          １．０×１０-4
ＥｘＳ−３                                          ３．４×１０-4
ＥｘＣ−１                                              ０．１０
ＥｘＣ−３                                              ０．０４５
ＥｘＣ−６                                              ０．０２０
ＥｘＣ−７                                              ０．０１０
Ｃｐｄ−２                                              ０．０５０
ＨＢＳ−１                                              ０．２２
ＨＢＳ−２                                              ０．０５０
ゼラチン                                                １．１０
【０１４２】
第６層（中間層）
Ｃｐｄ−１                                              ０．０９０
固体分散染料ＥｘＦ−４                                  ０．０３０
ＨＢＳ−１                                              ０．０５０
ポリエチルアクリレートラテックス                        ０．１５
ゼラチン                                                １．１０
【０１４３】
第７層（低感度緑感乳剤層）
沃臭化銀乳剤Ｅ                                  銀      ０．１５
沃臭化銀乳剤Ｆ                                  銀      ０．１０
沃臭化銀乳剤Ｇ                                  銀      ０．１０
ＥｘＳ−４                                          ３．０×１０-5
ＥｘＳ−５                                          ２．１×１０-4
ＥｘＳ−６                                          ８．０×１０-4
ＥｘＭ−２                                              ０．３３
ＥｘＭ−３                                              ０．０８６
ＥｘＹ−１                                              ０．０１５
ＨＢＳ−１                                              ０．３０
ＨＢＳ−３                                              ０．０１０
ゼラチン                                                ０．７３
【０１４４】
第８層（中感度緑感乳剤層）
沃臭化銀乳剤Ｈ                                  銀      ０．８０
ＥｘＳ−４                                          ３．２×１０-5
ＥｘＳ−５                                          ２．２×１０-4
ＥｘＳ−６                                          ８．４×１０-4
ＥｘＣ−８                                              ０．０１０
ＥｘＭ−２                                              ０．１０
ＥｘＭ−３                                              ０．０２５
ＥｘＹ−１                                              ０．０１８
ＥｘＹ−４                                              ０．０１０
ＥｘＹ−５                                              ０．０４０
ＨＢＳ−１                                              ０．１３
ＨＢＳ−３                                          ４．０×１０-3
ゼラチン                                                ０．８０
【０１４５】
第９層（高感度緑感乳剤層）
沃臭化銀乳剤Ｉ                                  銀      １．２５
ＥｘＳ−４                                          ３．７×１０-5
ＥｘＳ−５                                          ８．１×１０-5
ＥｘＳ−６                                          ３．２×１０-4
ＥｘＣ−１                                              ０．１０
ＥｘＭ−１                                              ０．０２０
ＥｘＭ−４                                              ０．０２５
ＥｘＭ−５                                              ０．０４０
Ｃｐｄ−３                                              ０．０４０
ＨＢＳ−１                                              ０．２５
ポリエチルアクリレートラテックス                        ０．１５
ゼラチン                                                １．３３
【０１４６】
第１０層（イエローフィルター層）
黄色コロイド銀                                  銀      ０．０１５
Ｃｐｄ−１                                              ０．１６
固体分散染料ＥｘＦ−５                                  ０．０６０
固体分散染料ＥｘＦ−６                                  ０．０６０
油溶性染料ＥｘＦ−７                                    ０．０１０
ＨＢＳ−１                                              ０．６０
ゼラチン                                                ０．６０
【０１４７】
第１１層（低感度青感乳剤層）
沃臭化銀乳剤Ｊ                                  銀      ０．０９
沃臭化銀乳剤Ｋ                                  銀      ０．０９
ＥｘＳ−７                                          ８．６×１０-4
ＥｘＣ−８                                          ７．０×１０-3
ＥｘＹ−１                                              ０．０５０
ＥｘＹ−２                                              ０．２２
ＥｘＹ−３                                              ０．５０
ＥｘＹ−４                                              ０．０２０
Ｃｐｄ−２                                              ０．１０
Ｃｐｄ−３                                          ４．０×１０-3
ＨＢＳ−１                                              ０．２８
ゼラチン                                                １．２０
【０１４８】
第１２層（高感度青感乳剤層）
沃臭化銀乳剤Ｌ                                  銀      １．００
ＥｘＳ−７                                          ４．０×１０-4
ＥｘＹ−２                                              ０．１０
ＥｘＹ−３                                              ０．１０
ＥｘＹ−４                                              ０．０１０
Ｃｐｄ−２                                              ０．１０
Ｃｐｄ−３                                          １．０×１０-3
ＨＢＳ−１                                              ０．０７０
ゼラチン                                                ０．７０
【０１４９】
第１３層（第１保護層）
ＵＶ−１                                                ０．１９
ＵＶ−２                                                ０．０７５
ＵＶ−３                                                ０．０６５
ＨＢＳ−１                                          ５．０×１０-2
ＨＢＳ−４                                          ５．０×１０-2
ゼラチン                                                １．８
【０１５０】
第１４層（第２保護層）
沃臭化銀乳剤Ｍ                                  銀      ０．１０
Ｈ−１                                                  ０．４０
Ｂ−１（直径１．７μｍ）                            ５．０×１０-2
Ｂ−２（直径１．７μｍ）                                ０．１５
Ｂ−３                                                  ０．０５
Ｓ−１                                                  ０．２０
ゼラチン                                                ０．７０
【０１５１】
更に、各層に適宜、保存性、処理性、圧力耐性、防黴・防菌性、帯電防止性及び塗布性をよくするためにＷ−１ないしＷ−３、Ｂ−４ないしＢ−６、Ｆ−１ないしＦ−１７及び、鉄塩、鉛塩、金塩、白金塩、パラジウム塩、イリジウム塩、ロジウム塩が含有されている。
【０１５２】
【表４】
0003729375.tif 000005
【０１５３】
表４において、
（１）乳剤Ｊ〜Ｌは特開平２−１９１９３８号の実施例に従い、二酸化チオ尿素とチオスルフォン酸を用いて粒子調製時に還元増感されている。
（２）乳剤Ａ〜Ｉは特開平３−２３７４５０号の実施例に従い、各感光層に記載の分光増感色素とチオシアン酸ナトリウムの存在下に金増感、硫黄増感とセレン増感が施されている。
（３）平板状粒子の調製には特開平１−１５８４２６号の実施例に従い、低分子量ゼラチンを使用している。
（４）平板状粒子には特開平３−２３７４５０号に記載されているような転位線が高圧電子顕微鏡を用いて観察されている。
（５）乳剤Ｌは特開昭６０−１４３３３１号に記載されている内部高ヨードコアーを含有する二重構造粒子である。
【０１５４】
（有機固体分散染料の分散物の調製）
下記、ＥｘＦ−２を次の方法で分散した。即ち、水２１．７ミリリットル及び５％水溶液のｐ−オクチルフェノキシエトキシエトキシエタンスルホン酸ソーダ３ミリリットル並びに５％水溶液のｐ−オクチルフェノキシポリオキシエチレンエーテル（重合度１０）０．５ｇとを７００ミリリットルのポットミルに入れ、染料ＥｘＦ−２を５．０ｇと酸化ジルコニウムビーズ（直径１mm）５００ミリリットルを添加して内容物を２時間分散した。この分散には中央工機製のＢＯ型振動ボールミルを用いた。分散後、内容物を取り出し、１２．５％ゼラチン水溶液８ｇに添加し、ビーズを濾過して除き、染料のゼラチン分散物を得た。染料微粒子の平均粒径は０．４４μｍであった。
【０１５５】
同様にして、ＥｘＦ−３、ＥｘＦ−４及びＥｘＦ−６の固体分散物を得た。染料微粒子の平均粒径はそれぞれ、０．２４μｍ、０．４５μｍ、０．５２μｍであった。ＥｘＦ−５は欧州特許出願公開（ＥＰ）第５４９，４８９Ａ号明細書の実施例１に記載の微小析出（Microprecipitation）分散方法により分散した。平均粒径は０．０６μｍであった。
【０１５６】
【化１】
0003729375.tif 000006
【０１５７】
【化２】
0003729375.tif 000007
【０１５８】
【化３】
0003729375.tif 000008
【０１５９】
【化４】
0003729375.tif 000009
【０１６０】
【化５】
0003729375.tif 000010
【０１６１】
【化６】
0003729375.tif 000011
【０１６２】
【化７】
0003729375.tif 000012
【０１６３】
【化８】
0003729375.tif 000013
【０１６４】
【化９】
0003729375.tif 000014
【０１６５】
【化１０】
0003729375.tif 000015
【０１６６】
【化１１】
0003729375.tif 000016
【０１６７】
【化１２】
0003729375.tif 000017
【０１６８】
【化１３】
0003729375.tif 000018
【０１６９】
【化１４】
0003729375.tif 000019
【０１７０】
【化１５】
0003729375.tif 000020
【０１７１】
【化１６】
0003729375.tif 000021
【０１７２】
〔試料１０２〕
次に試料１０１の第１層から第１４層までの全ての塗布層のと塗布量を２分の１に下げて低銀カラーネガフィルムを作成して試料１０２とした。すなわち、試料１０１の総塗布銀量は６．４５ｇ／ｍ2 であるが、試料１０２では乳剤組成を変えることなく塗布量調節のみによって３．２２５ｇ／ｍ2 に変更した。
【０１７３】
２．写真特性試験の方法
各試験用フィルムにＩＳＯ５８００（カラーネガフィルムの感度測定法）記載の標準Ｃ光源による照明のもとで標準露光量、その１／２のアンダー露光及び標準の４倍のオーバー露光の３水準の露光量で、グレーの壁を背景に人物のスナップ撮影をし、現像処理条件は下記のように変更して行い、入力用画像の写真原稿を作成した。
こうして得られた入力用画像を発明の形態の項で説明した画像読み取り装置を用い画像信号に変換した。発明の形態４．２項の手順に従い、階調補正処理と色補正処理を組み合わせた画像処理を行い、この画像信号に基づき前記の図１０で示されるレーザー走査露光装置で下記に示すカラーペーパーに露光を施し、以下に示す所定の現像処理を行い評価用の画像を得た。この評価用画像の粒状のなめらかさを重点に総合画質を、写真評価を専門とする１０人に下記５点法で採点してもらい平均点で評価した。
非常に劣り、許容できない。・・・・１点
やや劣り、許容できない。・・・・・２点
比較的に劣るが許容できる。・・・・３点
比較的に優れ、好ましい。・・・・・４点
非常に好ましい。・・・・・・・・・５点
【０１７４】
３．入力用画像の現像処理
下記のカラーネガ用現像処理仕様に従った。
処理機としては、富士写真フイルム（株）製自動現像機ＦＰ−５６０Ｂを用いて以下に示す処理工程及び処理液で処理した。
また、本発明の処理工程である定着工程省略処理は、発色現像及び漂白工程の後、試料を２つの定着ラックを飛ばして直ちに水洗浴へ送られるように処理機のフィルム搬送系を改造して行った。
【０１７５】
0003729375.tif 000022
安定液は（２）から（１）への向流方式であり、水洗水のオーバーフロー液は全て定着（２）へ導入した。また、定着液も（２）から（１）へ向流配管で接続されている。尚、現像液の漂白工程への持ち込み量、漂白液の定着工程への持ち込み量及び定着液の水洗工程への持ち込み量は感光材料３５ｍｍ巾１．１ｍ当たりそれぞれ２．５ミリリットル、２．０ミリリットル、２．０ミリリットルであった。また、クロスオーバーの時間はいずれも６秒であり、この時間は前工程の処理時間に包含される。
【０１７６】
以下に処理液の組成を示す。
0003729375.tif 000023
【０１７７】
0003729375.tif 000024
【０１７８】
0003729375.tif 000025
【０１７９】
（水洗水）
水道水をＨ型強酸性カチオン交換樹脂（ロームアンドハース社製アンバーライトＩＲ−１２０Ｂ）と、ＯＨ型強塩基性アニオン交換樹脂（同アンバーライトＩＲ−４００）を充填した混床式カラムに通水してカルシウム及びマグネシウムイオン濃度を３mg／リットル以下に処理し、続いて二塩化イソシアヌール酸ナトリウム２０mg／リットルと硫酸ナトリウム１５０mg／リットルを添加した。この液のｐＨは６．５〜７．５の範囲にあった。
【０１８０】
0003729375.tif 000026
【０１８１】
４．評価用画像の画像処理
上記の構成で制作された入力用画像を電気的画像信号に変換し、その信号を入力してポジ画像を作ることができる市販の入力機の例として高速スキャナー／画像処理ワークステーションＳＰ−１０００（富士写真フイルム（株）製）、市販の出力機の例としてレーザープリンター／ペーパープロセサーＬＰ−１０００Ｐ（富士写真フイルム（株）製）を使用した。また、ＳＰ−１０００に関しては、前記画像処理が行えるようにプログラムソフトを変更して使用した。
また、比較試料用には、現在一般的な面露光方式の富士写真フイルム（株）製ミニラボＰＰ−１２５７Ｖを使用した。この装置のプリンターは現像処理済みカラーネガを透過してカラーペーパー上に焼き付けが行われる同時全面露光方式で、フィルターの制御でカラーバランスを制御する現在の市場で普通に行われている方式のものである。
いずれもカラーペーパーは、市販のフジカラーレーザーペーパーを使用し、現像処理は一般用のカラーペーパー処理処方ＣＰ−４７Ｌとその処理剤（いずれも富士写真フイルム（株）製）にしたがって行った。
【０１８２】
５．試験
次の各試験を行った。
▲１▼比較実験−１：上記したカラーネガ用現像処理処方と工程によって基準現像処理した試料１０１及び１０２をＳＰ−１０００で前記画像処理を行い、ＬＰ−１０００Ｐで焼き付けとポジ現像処理を行い比較用カラープリントを得た。
▲２▼比較実験−２：上記したカラーネガ用現像処理処方と工程によって基準現像処理した試料１０１及び１０２を面露光方式のＰＰ−１２５７Ｖで焼き付けとポジ現像処理を行い比較用カラープリントを得た。
▲３▼比較実験−３：定着工程省略処理の試料１０１及び１０２をＰＰ−１２５７Ｖで焼き付けとポジ現像処理を行い比較用カラープリントを得た。
▲４▼本発明実験−１：比較実験−３と同様の定着工程省略処理した試料１０１及び１０２をＳＰ−１０００で前記画像処理を行い、ＬＰ−１０００Ｐで焼き付けとポジ現像処理を行い、本発明の方法と装置によるカラープリントを得た。画像処理条件は、前記４．２に説明した画像処理装置（すなわちＳＰ−１０００）において、定着工程が省略された現像処理で得た現像濃度が入力されることに伴う条件設定の修正がされている以外は、ＳＰ−１０００の通常条件通りである。
【０１８３】
６．試験結果
試験結果を表５に記載した。
【０１８４】
【表５】
0003729375.tif 000027
【０１８５】
表５から判るように、基準現像処理を行った比較実験−１と２では、いづれも標準的な画質を示し、画像処理の有無とそれに伴う出力装置の差つまり比較実験−１と２の間の画質の差は小さい。一方、定着工程省略処理ののち画像再生のための画像処理を行わない比較実験−３では、画質の再現は不十分であり、特にオーバー露光の時にそれが著しい。定着工程省略処理ののち画像処理を行った本発明実験−１は、基準現像処理を施した上に画像処理も施した比較実験−１と同等の画質であり、画質の再現は満足されている。
また、本発明の現像処理工程からの廃液量は、基準現像処理に対して１７％減少した。さらに低銀の感光材料である試料１０２の方がその効果が顕著に現れた。
一方、この実施例では、水洗代替安定液を使用したが、水洗方式を採用した場合は、排水中の窒素化合物の量が８５％減少することは、上記の各工程の処方値と補充量から求められる。
また、本実施例におけるカラーネガフィルムの現像開始からカラープリントを得る全工程の時間短縮は、１００秒（定着工程相当分）であった。
【０１８６】
実施例２
実施例１で行った試験を繰り返して行った。ただし、今回は現像処理済み試料からの画像読み取りを図１１に示し、本明細書の４．１項で述べた反射型濃度読み取り方式で行った。実施例１で使用した市販の画像処理装置（ＳＰ−１０００）には、透過型及び反射型画像読み取り装置が装着されているので、これを使用した。
画像読み取りは、円滑に行われ、画像処理及びカラーペーパーへの出力も実施例１と同様に行われ、その結果実施１と同じく基準現像処理で得られた画像と同等の画質のプリントが得られた。
【０１８７】
【発明の効果】
撮影済みカラーフィルムを現像処理するに際して、定着工程を省略した簡略現像処理を行っても、得られた画像情報に画像処理を施すことによって、基準現像処理（つまり標準的な現像処理）を行う場合と実質的に同画質の画像情報を得ることができる。さらには、それによって簡略化した現像処置から正常な画質のカラープリントを提供できる。
カラーフィルムのハロゲン化銀乳剤塗布量を低減させることにより、本発明の効果を維持し、かつカラーフィルムの原料コストを下げることが可能となる。
【図面の簡単な説明】
【図１】本発明に係わる画像形成方法と装置の基本構成と全体の流れを示すブロックダイアグラム
【図２】本発明に係わる画像再生システムの基本構成を示すブロックダイアグラム
【図３】本発明に係わる画像再生システムの一実施形態における外観を示す図
【図４】透過型画像読み取り装置の概略を示す図
【図５】図２に示される画像処理装置５の構成の一部を示すブロックダイアグラム
【図６】図２に示される画像処理装置５の構成の図５に示されない他の部分を示すブロックダイアグラム
【図７】図５に示される第１のフレームメモリユニット、第２のフレームメモリユニット及び第３のフレームメモリユニットの詳細を示すブロックダイアグラム
【図８】図６に示される第１の画像処理手段の詳細を示すブロックダイアグラム
【図９】図２に示される画像出力装置の概略を示す図
【図１０】図９に示される画像出力装置のレーザー光照射手段
【図１１】反射型画像読み取り装置の概略を示す図
【符号の説明】
図１〜１１における符号の説明
Ｆ  フィルム
Ｐ  カラープリント又はカラーペーパー
０１  ＤＸコード
０２  現像選択指示部
０３  基準現像過程
０３Ａ非基準現像過程
０４  マニユアル現像選択
１    画像読み取り装置
５    画像処理装置
８    画像出力装置
１０  透過型画像読み取り装置
１１  光源
１２  光量調節ユニット
１３  色分解ユニット
１４  拡散ユニット
１５  ＣＣＤエリアセンサー
１６  レンズ
１７  増幅器
１８  Ａ／Ｄ変換器
１９  ＣＣＤ補正手段
２０  ログ変換器
２１  インターフェイス
２２  キヤリア
２３  モーター
２４  駆動ローラ
２５  画面検出センサー
２６  ＣＰＵ
３０  反射型画像読み取り装置
３１  光源
３２  ミラー
３３  カラーバランスフィルタ
３４  光量調節ユニット
３５  ＣＣＤエリアセンサー
３６  レンズ
３７  増幅器
３８  Ａ／Ｄ変換器
３９  ＣＣＤ補正手段
４０  ログ変換器
４８  インターフェイス
４９  加算平均演算手段
５０ａ第１のラインバッファ
５０ｂ第２のラインバッファ
５１  第１のフレームメモリユニット
５１Ｒ  Ｒデータメモリ
５１Ｇ  Ｇデータメモリ
５１Ｂ  Ｂデータメモリ
５２  第２のフレームメモリユニット
５２Ｒ  Ｒデータメモリ
５２Ｇ  Ｇデータメモリ
５２Ｂ  Ｂデータメモリ
５３  第３のフレームメモリユニット
５３Ｒ  Ｒデータメモリ
５３Ｇ  Ｇデータメモリ
５３Ｂ  Ｂデータメモリ
５５  セレクタ
６０  ＣＰＵ
６１  第１の画像処理手段
６２  第２の画像処理手段
６３  入力バス
６４  出力バス
６５  データバス
６６  メモリ
６７  ハードデイスク
６８  ＣＲＴ
６９  キーボード
７０  通信ポート
７５  データ合成手段
７６  合成データメモリ
７６Ｒ  Ｒデータメモリ
７６Ｇ  Ｇデータメモリ
７６Ｂ  Ｂデータメモリ
７７  インターフェイス
７８  インターフェイス
７９  ＣＰＵ
８０  画像データメモリ
８１  Ｄ／Ａ変換器
８２  レーザー光照射手段
８３  変調器駆動手段
８４ａ，ｂ，ｃ  半導体レーザー光源
８５  波長変換手段
８６  波長変換手段
８７Ｒ，Ｇ，Ｂ  光変調器
８８Ｒ，Ｇ，Ｂ  反射ミラー
８９  ポリゴンミラー
９０  カラーペーパー
９１  マガジン
９２  穿孔手段
９４  発色現像槽
９５  漂白定着槽
９６  水洗槽
９７  乾燥部
９８  カッター
９９  ソータ
１００  色濃度階調変換手段
１０１  彩度変換手段
１０２  デジタル倍率変換手段
１０３  周波数処理手段
１０４  ダイナミックレンジ変換手段
【図１】
0003729375.tif 000028
【図２】
0003729375.tif 000029
【図３】
0003729375.tif 000030
【図４】
0003729375.tif 000031
【図５】
0003729375.tif 000032
【図６】
0003729375.tif 000033
【図７】
0003729375.tif 000034
【図８】
0003729375.tif 000035
【図９】
0003729375.tif 000036
【図１０】
0003729375.tif 000037
【図１１】
0003729375.tif 000038